(57)【要約】  少なくとも１つの導電面又は表面層を備えるサポートと、該サポートの少なくとも１つの側上の受動記憶要素と、を具備する受動記憶装置であって、該受動記憶要素は第１電極システムと、絶縁システムとそして第２電極システムと、を備えており、該第１電極システムは該第２電極システムから絶縁されており、該第１電極システムはサポートの導電面又は導電層であり、該第２電極システムは複数の分離された導電範囲及び／又は相互から分離された複数の導電ピンであり、そして該分離された導電範囲の少なくとも１つ、又は該導電ピンの少なくとも１つ、と該第１電極システムとの間に導電性ブリッジがあり、該第１電極システムがサポートの導電面であることを除けば、該システムと該導電性ブリッジは従来のプリンティング工程を使ってプリント可能である該受動記憶装置と、そして該受動記憶装置を提供する工程であるが、該サポートを提供する過程と、もし該サポートが非金属性であるなら該サポート上に該導電性層を実現する過程と、該導電面又は導電層上に絶縁パターンシステムを実現する過程と、該絶縁パターンシステム上に複数の分離された導電範囲をオプションで提供する過程と、そして該第１電極システムと、該分離された導電範囲及び／又は相互から分離された複数の導電性ピン、の少なくとも１つと、の間で予め指定された点に導電性ブリッジを提供する過程と、を具備しており、該導電層をオプション的に提供する過程と、絶縁パターンシステムを提供する過程と、第２電極層システムをオプションで提供する過程と、導電性ブリッジを提供する過程、の少なくとも１つは従来のプリンティング工程により実現される該受動記憶装置を提供する工程。
2008518453.tif 000002
【特許請求の範囲】
【請求項１】
第１電極システム及び第２電極システムを具備する受動記憶要素に於いて、前記第１電極システムは前記第２電極システムからパターン化した絶縁システムにより絶縁されており、前記第１電極システムは導電面又は導電層であり、前記第２電極システムは複数の分離された導電範囲及び／又は相互から分離された複数の導電ピンであり、前記第２電極システムの前記分離された導電範囲の少なくとも１つと前記第１電極システムとの間に導電性ブリッジがあるか、又は前記第１電極システムと隣接しない該絶縁システムの側上の少なくとも１つの予め指定された点から前記導電面又は前記導電層まで少なくとも１つの導電小球が提供され、該小球は、該第２電極システムの前記複数の導電ピンの１つが前記パターン化した絶縁システム上の該導電小球の部分と接触した時、前記第１及び前記第２電極システム間で、単に読み出し目的用に、導電性ブリッジを作り、前記少なくとも１つの導電性ブリッジを欠く場合は前記第１及び前記第２電極システム間に直接の電気的接触は無く、そして前記第１電極システムが金属サポートの導電面であることを除けば、前記システム、前記少なくとも１つの導電性ブリッジそして前記少なくとも１つの導電小球は従来のプリンティング工程を使ってプリント可能であることを特徴とする受動記憶要素。
【請求項２】
前記第２電極システムが読み出し装置の部分である複数の導電ピンであることを特徴とする請求項１の受動記憶要素。
【請求項３】
前記第２電極システムが複数の分離された導電範囲であることを特徴とする請求項１の受動記憶要素。
【請求項４】
少なくとも１つの受動記憶要素と、前記受動記憶要素を提供されたその少なくとも１つの側に少なくとも１つの導電面又は表面層を備えるサポートと、を具備し、前記受動記憶要素が第１電極システム及び第２電極システムを備え、該第１電極システムがパターン化した絶縁システムにより該第２電極システムから絶縁されており、該第１電極システムが導電面又は導電層である第１受動記憶装置に於いて、前記第２電極システムは相互から分離された複数の導電ピンを場合により一緒に伴う複数の分離された導電範囲であり、前記第２電極システムの前記分離された導電範囲の少なくとも１つと前記第１電極システムとの間に導電性ブリッジがあり、前記少なくとも１つの導電性ブリッジを欠く場合は前記第１及び前記第２のパターン化した電極システム間に直接の電気的接触は無く、そして前記第１電極システムが金属サポートの導電面であることを除けば、前記システム及び前記導電性ブリッジは従来のプリンティング工程を使ってプリント可能であることを特徴とする第１受動記憶装置。
【請求項５】
前記第１受動記憶装置が金属シリコンを除くことを特徴とする請求項４の第１受動記憶装置。
【請求項６】
前記第１受動記憶装置が透明であることを特徴とする請求項４又は５の第１の装置。
【請求項７】
前記導電性ブリッジがカラー化されていることを特徴とする請求項４から６の何れか１つの第１の装置。
【請求項８】
前記導電性ブリッジの場所を視覚的に隠すために前記受動記憶装置が画像、又は均一にカラー化された又は不透明な層でオーバープリントされていることを特徴とする請求項４から７の何れか１つの第１の装置。
【請求項９】
前記導電性ブリッジの場所を視覚的に隠すために前記受動記憶装置上にカラー化された又は不透明な箔が積層されていることを特徴とする請求項４から８の何れか１つの第１の
装置。
【請求項１０】
前記第１及び第２のパターン化した電極システムの少なくとも１つが無機導電媒体又は有機導電媒体を有することを特徴とする請求項４から９の何れか１つの第１の装置。
【請求項１１】
前記有機導電媒体が本質的に導電性の有機ポリマーであることを特徴とする請求項１０の第１の装置。
【請求項１２】
前記本質的に導電性の有機ポリマーがポリチオフェン、ポリアニリン又はポリピロールであることを特徴とする請求項１１の第１の装置。
【請求項１３】
前記ポリチオフェンがポリ（３，４−ジオキシアルキレンチオフェン）であることを特徴とする請求項１１又は１２の第１の装置。
【請求項１４】
前記ポリチオフェンがポリ（３，４−ジオキシエチレンチオフェン）であることを特徴とする請求項１１から１３の何れか１つの第１の装置。
【請求項１５】
サポートと、前記サポートの少なくとも１つの側の、前記サポートの導電面又は前記サポート上の導電層と前記導電面又は前記導電層上のパターン化した絶縁システムとそして前記導電面又は前記導電層を前記パターン化した絶縁システム上の少なくとも１つの位置にリンクする少なくとも１つの導電小球と、を具備する第２受動記憶装置用前駆体に於いて、前記オプションの導電層、前記パターン化した絶縁システムそして前記少なくとも１つの導電小球が従来のプリンティング技術を用いてプリント可能であることを特徴とする該前駆体。
【請求項１６】
少なくとも１つの受動記憶要素と、前記受動記憶要素を提供されたその少なくとも１つの側上に少なくとも１つの導電面又は表面層を備えるサポートと、を具備する第２受動記憶装置に於いて、前記受動記憶要素は第１電極システムとしての前記サポートの前記導電面又は前記サポート上の前記表面層と、絶縁システムと、を備えており、前記第１電極システムに隣接しない該絶縁システムの側上の少なくとも１つの予め指定された点から、前記第１電極システムまで、少なくとも１つの導電小球が提供され、該小球は、該第２電極システムの前記複数の導電ピンの１つが前記パターン化した絶縁システム上の該導電小球の部分と接触する時、前記第１及び前記第２電極システム間に、単に読み出しの目的用に、導電性ブリッジを作り、前記少なくとも１つの導電性ブリッジを欠く場合は、該第１電極システムと第２電極システムの間に直接の電気的接触は無く、そして該第１電極システムが金属サポートの導電面であることを除けば、前記システムと前記少なくとも１つの導電小球が従来のプリンティング工程を使ってプリント可能であることを特徴とする第２受動記憶装置。
【請求項１７】
少なくとも１つの受動記憶要素と、前記受動記憶要素を提供されたその少なくとも１つ側上に少なくとも１つの導電面又は導電層を備えるサポートと、を具備する第１受動記憶装置を提供する工程であって、前記受動記憶要素は第１電極システムと第２電極システムを備え、該第１電極システムは該第２電極システムから絶縁されており、該第１電極システムは導電面又は導電層であり、該第２電極システムは相互から分離された複数の導電ピンを場合により一緒に伴う複数の分離された導電範囲であり、前記第２電極システムの前記分離された導電範囲の少なくとも１つと、前記第一電極システムと、の間に導電性ブリッジがあり、前記少なくとも１つの導電性ブリッジを欠く場合は、前記第１及び前記第２のパターン化した電極システム間に直接の電気的接触は無く、そして該第１電極システムが金属サポートの該導電面であることを除けば、前記システムと前記導電性ブリッジとは従来のプリンティング工程を使ってプリント可能である、該第１受動記憶装置を提供する工程が、前記サポートを提供する過程と、もし該サポートが非金属性であれば該サポート上に前記導電層を実現する過程と、前記導電面又は導電層上にパターン化した絶縁システムを実現する過程と、前記パターン化した絶縁システム上に複数の分離した導電範囲を提供する過程と、そして前記分離された導電範囲の少なくとも１つと前記導電面又は該導電層と間で予め指定された点に導電性ブリッジを提供する過程と、を具備しており、導電層を場合により提供する前記過程と、パターン化した絶縁システムを提供する前記過程と、複数の分離した導電範囲を提供する前記過程と、そして導電性ブリッジを提供する前記過程と、の少なくとも１つが従来のプリンティング工程で実現されることを特徴とする該第１受動記憶装置を提供する工程。
【請求項１８】
前記従来のプリンティング工程がノンインパクトプリンティング工程であることを特徴とする請求項１７の工程。
【請求項１９】
前記従来のプリンティング工程がインパクトプリンティング工程であることを特徴とする請求項１７の工程。
【請求項２０】
前記従来のプリンティング工程がインクジェットプリンティング、インタグリオプリンティング、スクリーンプリンティング、フレキソグラフィックプリンティング、オフセットプリンティング、スタンププリンティング、グラビヤプリンティング、静電記録プリンティング、電子製版プリンティング、そして感熱及びレーザー誘起工程から成る群から選択されることを特徴とする請求項１７の工程。
【請求項２１】
第２受動記憶装置用前駆体を提供する工程であって、前記前駆体がサポートと、前記サポートの少なくとも１つの側の、前記サポートの導電面又は前記サポート上の導電層と、前記導電面又は前記導電層上のパターン化した絶縁システムと、前記導電面又は前記導電層を前記パターン化した絶縁システム上の少なくとも１つの位置へリンクする少なくとも１つの導電小球と、を具備しており、前記オプションの導電層と、前記パターン化した絶縁システムとそして前記少なくとも１つの導電小球と、は従来のプリンティング技術を使ってプリント可能である、該第２受動記憶装置用前駆体を提供する工程が、前記サポートを提供する過程と、もし前記サポートが非金属性であるなら前記サポート上に前記導電層を実現する過程と、前記パターン化した絶縁システムを実現する過程とそして前記第１電極システムと隣接しない該絶縁システムの側から前記導電面又は前記導電層まで予め指定された点で導電小球を提供する過程と、を具備しており、導電層を場合により提供する前記過程、前記絶縁システムを提供する前記過程、そして前記導電小球を提供する前記過程、の少なくとも１つが従来のプリンティング工程で実現されることを特徴とする該第２受動記憶装置用前駆体を提供する工程。
【請求項２２】
第２受動記憶装置を提供する工程であって、前記受動記憶装置が少なくとも１つの受動記憶要素と、前記受動記憶要素を提供されたその少なくとも１つの側の少なくとも１つの導電面又は表面層を備えるサポートと、を具備しており、前記受動記憶要素は第１電極システムとしての前記サポートの前記導電面又は前記サポート上の前記表面層と、絶縁システムと、を備えており、前記第１電極システムと隣接しない該絶縁システムの側上の少なくとも１つの予め指定された点から前記第１電極システムまで少なくとも１つの導電小球が提供され、該小球は、該第２電極システムの前記複数の導電ピンの１つが前記パターン化した絶縁システム上の該導電小球の部分と接触した時、前記第１及び前記第２電極間に、単に読み出し目的用に、導電性ブリッジを作り、前記少なくとも１つの導電性ブリッジを欠く場合は、該第１電極システムと第２電極システムの間には直接の電気的接触は無く、そして該第１電極システムが金属サポートの該導電面であることを除けば、前記システムと前記少なくとも１つの導電小球は従来のプリンティング工程を使ってプリント可能である、該第２受動記憶装置を提供する工程が、前記サポートを提供する過程と、もし前記サポートが非金属性であるなら前記サポート上に前記導電層を実現する過程と、前記パターン化した絶縁システムを実現する過程と、前記第１電極システムと隣接しない該絶縁システムの側上の少なくとも１つの予め指定された点から前記導電面又は導電層まで少なくとも１つの導電小球を提供する過程とそして単に読み出し目的用の前記第２電極システムとして複数のピンを実現する過程と、を具備しており、導電層を場合により提供する前記過程と、該絶縁システムを提供する前記過程と、該導電小球を提供する前記過程とそして前記第２電極システムを提供する前記過程と、の少なくとも１つが従来のプリンティング工程で実現されることを特徴とする該第２受動記憶装置を提供する工程。
【請求項２３】
前記工程が更に前記導電面又は導電層上に絶縁パターンシステムを提供する過程を具備しており、前記絶縁パターンシステムを提供する前記過程が従来のプリンティング工程で実現されることを特徴とする請求項２２の第２記憶装置を提供する工程。
【発明の詳細な説明】
【技術分野】
【０００１】
本発明はプリント可能（ｐｒｉｎｔａｂｌｅ）な受動記憶要素（ｐａｓｓｉｖｅ  ｍｅｍｏｒｙ  ｅｌｅｍｅｎｔ）と同品の製法に関する。
【背景技術】
【０００２】
現在、例えば、パッケージングの偽造防止用タグ（ａｎｔｉ−ｃｏｕｎｔｅｒｆｅｉｔｉｎｇ  ｔａｇｓ）として、使い捨て可能で、廉価で、柔軟で、情報が中に記憶される、受動記憶装置を有するタグ及びラベル（ｐａｓｓｉｖｅ  ｍｅｍｏｒｙ  ｄｅｖｉｃｅ−ｃｏｎｔａｉｎｉｎｇ  ｔａｇｓ  ａｎｄ  ｌａｂｅｌｓ）の益々増大する需要がある。該情報の書き込み（ｗｒｉｔｉｎｇ）を有するこの様な不揮発性記憶要素の生産は、容易で、廉価であるべきで、好ましくは、該タグ、ラベルそしてパッケージのプリンティング工程（ｐａｃｋａｇｅ  ｐｒｉｎｔｉｎｇ  ｐｒｏｃｅｓｓ）又は該パッケージング工程（ｐａｃｋａｇｉｎｇ  ｐｒｏｃｅｓｓ）自身に組み入れられるべきで、そして簡単で、廉価な材料から成りそして最小の処理過程（ｐｒｏｃｅｓｓｉｎｇ  ｓｔｅｐｓ）を含むべきである。パッケージ内での使用のために、該記憶装置が比較的強靱で、機械的衝撃、温度変化そして他の環境的影響に可成り鈍感なことが重要である。
【０００３】
従来のシリコンベースの半導体メモリー（ｓｉｌｉｃｏｎ−ｂａｓｅｄ  ｓｅｍｉｃｏｎｄｕｃｔｏｒ  ｍｅｍｏｒｉｅｓ）は高価で複雑な処理を要する欠点を有し、その高い処理温度と非柔軟性とはそれらがパッケージング基板（ｐａｃｋａｇｉｎｇ  ｓｕｂｓｔｒａｔｅｓ）上で使用されることを不適切にしている。更に、シリコンベースの半導体メモリーは廃棄時（ｕｐｏｎ  ｄｉｓｐｏｓａｌ）可成りの環境問題（ｅｎｖｉｒｏｎｍｅｎｔａｌ  ｉｓｓｕｅｓ）を提起する。特許文献１は、各指定された記憶素子（ｄｅｓｉｇｎａｔｅｄ  ｍｅｍｏｒｙ  ｃｅｌｌｓ）がその中に配置された抵抗変化成分（ｒｅｓｉｓｔａｎｃｅ−ａｌｔｅｒｉｎｇ  ｃｏｎｓｔｉｔｕｅｎｔ）を有する、複数の記憶素子内の少なくとも１つの指定記憶素子を具備する装置を開示しているが、シリコンベースの読み出し専用の抵抗器メモリー（ｒｅａｄ−ｏｎｌｙ  ｒｅｓｉｓｔｏｒ  ｍｅｍｏｒｉｅｓ）のみを例示している。特許文献２はメモリーの製作方法を開示しており、該製作方法は、複数の記憶素子が多結晶シリコン（ｐｏｌｙｃｒｙｓｔａｌｌｉｎｅ  ｓｉｌｉｃｏｎ）と、少なくとも１つのＩＡ族元素（Ｇｒｏｕｐ  ＩＡ  ｅｌｅｍｅｎｔ）を含む抵抗変化成分と、を有するが、該複数の記憶素子内に抵抗変化成分を拡散する過程と、該抵抗変化成分の打ち込まれた線量（ｉｍｐｌａｎｔｅｄ  ｄｏｓｅ）の少なくとも１部分を少なくとも１つの記憶素子の導電層（ｃｏｎｄｕｃｔｉｖｅ  ｌａｙｅｒ）から移動する過程と、を具備する。これらの抵抗器メモリーでは、情報は予め選択された交点（ｐｒｅ−ｓｅｌｅｃｔｅｄ  ｃｒｏｓｓｉｎｇ  ｐｏｉｎｔｓ）での抵抗の変化により記憶される。もし各記憶素子内の抵抗がビットライン（ｂｉｔ  ｌｉｎｅｓ）及びワ−ドライン（ｗｏｒｄ  ｌｉｎｅｓ）の抵抗より著しく高いなら隣接ワードライン間のクロストーク（Ｃｒｏｓｓｔａｌｋ）は減じられる。しかしながら、これは代わりの電流通路（ａｌｔｅｒｎａｔｉｖｅ  ｃｕｒｒｅｎｔ  ｐａｔｈｓ）の存在を防止しない。
【０００４】
特許文献３は高密度ＲＯＭデバイス（ｈｉｇｈ  ｄｅｎｓｉｔｙ  ＲＯＭ  ｄｅｖｉｃｅ）を開示しており、該デバイスは基板（ｓｕｂｓｔｒａｔｅ）及び少なくとも１つのメモリーアレイ（ｍｅｍｏｒｙ  ａｒｒａｙ）を具備しているが、該メモリーアレイは、該基板の表面上に配置された第１絶縁層と、該第１絶縁層上に配置され第１方向に延びる複数のビットラインであるが、前記ビットラインは本質的に等しい間隔で相互から隔てられている、該ビットラインと、該複数のビットライン上に形成された第２絶縁層と、該第２絶縁層内に形成され該ビットラインの１部分を露出する少なくとも１つの通路（ｖｉａ）
と、そして該第２絶縁層上に配置され、角度を形成するよう該第１方向と交叉する第２方向に延びる複数ワードラインであるが、前記ワードラインは本質的に等しい間隔で相互から隔てられている、該ワードラインと、を備えており、そこでは該ワードラインの幾本かは該通路を使って該ビットラインと接続され、該ワードラインの幾本かは該第２絶縁層を使って該ビットラインから分離されている。
【０００５】
特許文献３はシリコンに基づかないが、金属のビットライン及びワードラインが存在する読み出し専用記憶装置（ｒｅａｄ  ｏｎｌｙ  ｍｅｍｏｒｙ  ｄｅｖｉｃｅ）を開示している。電気的相互接続（Ｅｌｅｃｔｒｉｃａｌ  ｉｎｔｅｒｃｏｎｎｅｃｔｓ）は該ビットライン及びワードライン間に存在する予め選択された通路内の金属の塗布（ａｐｐｌｉｃａｔｉｏｎ）により行われる。
【０００６】
しかしながら、特許文献３，１そして２で開示された抵抗器記憶素子用の生産工程の全ては該金属又はシリコン構造体を応用するために蒸発（ｅｖａｐｏｒａｔｉｏｎ）及びエッチング方法（ｅｔｃｈｉｎｇ  ｍｅｔｈｏｄｓ）に依存し、該方法は３００℃から４００℃の範囲の高温度を要し、該温度はポリマーベース又はペーパーベースの基板（ｐｏｌｙｍｅｒ−ｂａｓｅｄ  ｏｒ  ｐａｐｅｒ−ｂａｓｅｄ  ｓｕｂｓｔｒａｔｅｓ）の熔解（ｍｅｌｔｉｎｇ）又は深刻な劣化（ｓｅｖｅｒｅ  ｄｅｇｒａｄａｔｉｏｎ）に帰着して、従ってそれをパッケージング用には不適切にする。従って、この様な金属又はシリコン構造体はそれら自身をタグ、ラベル、そしてパッケージプリンティング工程又はパッケージング工程内へ組み込ませず、又それらはそれら自身を環境にやさしい廃棄処理へ向かわせもしない。
【０００７】
情報はアンティヒューズ原理（ａｎｔｉ−ｆｕｓｅ  ｐｒｉｎｃｉｐｌｅ）を使うことによりワーム（ＷＯＲＭ）メモリーに電気的に記憶され得る。例えば、特許文献４は有機質記憶素子を製作する方法を開示しており、該方法は、第１電極を提供する過程と、導電性促進化合物（ｃｏｎｄｕｃｔｉｖｉｔｙ  ｆａｃｉｌｉｔａｔｉｎｇ  ｃｏｍｐｏｕｎｄ）を有する受動的層を該第１電極上に形成する過程と、スピンオン技術（ｓｐｉｎ−ｏｎ  ｔｅｃｈｎｉｑｕｅ）を使って該受動的層上に有機半導体層を形成する過程であるが、該スピンオン技術は、ｉ）共役有機ポリマー（ｃｏｎｊｕｇａｔｅｄ  ｏｒｇａｎｉｃ  ｐｏｌｙｍｅｒ）、共役有機金属化合物（ｃｏｎｊｕｇａｔｅｄ  ｏｒｇａｎｏｍｔａｌｌｉｃ  ｃｏｍｐｏｕｎｄ）、共役有機金属ポリマー（ｃｏｎｊｕｇａｔｅｄ  ｏｒｇａｎｏｍｅｔａｌｌｉｃ  ｐｏｌｙｍｅｒ）、バッキーボール（ｂｕｃｋｙｂａｌｌ）そしてカーボンナノチューブ（ｃａｒｂｏｎ  ｎａｎｏｔｕｂｅ）の少なくとも１つと、ｉｉ）グリコールエーテルエステル（ｇｌｙｃｏｌ  ｅｔｈｅｒ  ｅｓｔｅｒｓ）と、グリコールエーテルと、フラン（ｆｕｒａｎｓ）とそして約４から約７炭素原子を含むアルキルアルコール（ａｌｋｙｌ  ａｌｃｏｈｏｌｓ）と、から成る群から選択された少なくとも１つの溶媒（ｓｏｌｖｅｎｔ）と、の混合物を適用する過程を有する該有機半導体層を形成する過程と、そして該有機半導体層上に第２電極を提供する過程と、を具備する。
【０００８】
更に、特許文献５は電子スイッチ（ｅｌｅｃｔｒｏｎｉｃ  ｓｗｉｔｃｈ）を開示しているが、該スイッチは第１導体と、第２導体と、そして該第１導体及び該第２導体に接触し、かつ両者間に横たわる導電性有機ポリマー層（ｃｏｎｄｕｃｔｉｖｅ  ｏｒｇａｎｉｃ  ｐｏｌｙｍｅｒ  ｌａｙｅｒ）であるが、該導電性有機ポリマー層は該有機ポリマー層が該第１導体と該第２導体の間に比較的高い導電率で電流を導く第１状態と、該有機ポリマー層が該第１導体と該第２導体の間に比較的低い導電率で電流を導く第２状態と、の１つにある該導電性有機ポリマー層と、を具備する。ワードラインとビットラインの間にある半導体層の抵抗は‘高い’電圧パルスを印加し、それにより該抵抗を増加することにより電気的に変えられ得る。代わりの電流通路を防止するために、ダイオードを形成するよう各記憶素子内の該ワードラインとビットラインの間に追加層を含むことが必要であり
、それによりその製造工程はより複雑になる。
【０００９】
メモリーのプリンティングが幾つかの異なる種類のデバイス用の技術で提案されて来た。特許文献６は記憶装置を開示しており、該記憶装置は、第１の側と第２の側を有する第１の半導電性ポリマー膜であるが、前記第１の半導電性ポリマー膜は有機ドーパント（ｏｒｇａｎｉｃ  ｄｏｐａｎｔ）を有している該第１の半導電性ポリマー膜と、前記第１の半導電性ポリマー層の前記第１の側に接続され、相互に実質的に平行な第１の複数の導体と、そして前記第１の半導電性ポリマー層の前記第２の側に接続され、相互に実質的に平行で、かつ、前記第１の複数の導体と実質的に相互に直交する第２の複数の導体とを具備しており、そこでは電荷は前記有機ドーパント上に局所化されている。２つの導電ラインパターン間に成層された該ドープされた半導電性膜の構造体は簡単である。しかしながら、これらのメモリーは揮発性で、もし電力が印加されないなら該情報は失われる。特許文献７は、記憶素子位置の電極の表面上のカバーする絶縁膜の存否により状態（ｓｔａｔｅ）を記憶する記憶装置を製造する方法を開示しており、該方法は予め決められた記憶素子位置の電極表面を絶縁材料でカバーするためにインクジェットヘッド（ｉｎｋｊｅｔ  ｈｅａｄ）を使って予め決められた記憶素子位置で電極の表面へ絶縁材料を選択的に噴射する（ｅｊｅｃｔｉｎｇ）過程を具備する。
【００１０】
特許文献８は、電子的に読み出し可能な（ｅｌｅｃｔｒｏｎｉｃａｌｌｙ  ｒｅａｄａｂｌｅ）コードを記憶するバーコード回路（ｂａｒ  ｃｏｄｅ  ｃｉｒｃｕｉｔ）であるが、そこでは該コードはポリマープリンティング工程で規定される、該バーコード回路と、バーコードリーダーが該バーコード回路内に記憶された該コードにアクセスすることを可能にするため該バーコード回路に接続されたインターフエースと、を具備する電子的バーコード（ｅｌｅｃｔｒｏｎｉｃ  ｂａｒ  ｃｏｄｅ）を開示している。しかしながら、該プリントされた電子回路は受動的マトリックスから成るのでなく、その部品の存否又はその接続が記憶される情報を決定する多数の電子部品から成る。
【００１１】
特許文献９は複数の記憶素子を有するマスクＲＯＭ（ｍａｓｋ  ＲＯＭ）を開示しており、該記憶素子は主面（ｍａｉｎ  ｓｕｒｆａｃｅ）を有する半導体基板と、前記半導体基板の前記主面上で列方向（ｃｏｌｕｍｎ  ｄｉｒｅｃｔｉｏｎ）に延びる複数の平行な第１信号ラインと、前記半導体基板の前記主面上で行方向（ｒｏｗ  ｄｉｒｅｃｔｉｏｎ）に延び、各々が前記複数の記憶素子のそれぞれの記憶素子を形成する複数のクロスオーバー（ｃｒｏｓｓｏｖｅｒｓ）で前記複数の第１信号ラインと交叉する複数の平行な第２信号ラインと、前記複数の第１信号ラインと前記複数の第２信号ラインの間に形成される絶縁膜と、そして前記複数の第１信号ラインの１つと前記複数の第２信号ラインの１つとを選択し、該選択された第１信号ラインと該選択された第２信号ラインの間に電位差（ｐｏｔｅｎｔｉａｌ  ｄｉｆｆｅｒｅｎｃｅ）を印加することにより該選択された第１信号ラインと該選択された第２信号ラインの間に電場を引き起こす、ための選択手段と、を具備しており、前記絶縁膜は、データ記憶用の前記複数のクロスオーバーの各々で、ｉ）該選択手段により選択された第１信号ラインと該選択手段により選択された該第２信号ラインの間で例え電場が受信されても、該選択された第１信号ラインと該選択された第２信号ラインの間を絶縁状態を保つに必要な第１厚さと、ｉｉ）該選択手段により選択された該第１信号ラインと該第２信号ラインの間で電場が受信された時該選択された第１信号ラインと該選択された第２信号ラインの間で第１トンネル電流（ｆｉｒｓｔ  ｔｕｎｎｅｌ  ｃｕｒｒｅｎｔ）を流れさせるための第２厚さと、そしてｉｉｉ）該選択手段により選択された該第１信号ラインと該第２信号ラインの間で電場が受信された時該選択された第１信号ラインと該選択された第２信号ラインの間で第２トンネル電流を流れさせるための第３厚さ、の１つを有する。そこで１つの記憶素子内の多数ビットレベルの記憶を伴うトンネル現象が発生される、分離用酸化物膜により分離された導電性電極に基づく受動的マトリックスＲＯＭの生産が特許文献９で開示される。酸化物層厚さの変動は層を通る種々のトンネル電流に導き、それは各セル内の情報の多数レベル用の符号化を行う。
【００１２】
特許文献１０は、中でその２つのアルコシキ基（ａｌｋｏｘｙ  ｇｒｏｕｐｓ）が同じであるか、又は異なるか、又はオプション的に置換されたオキシ−アルキレン−オキシブリッジ（ｏｘｙ−ａｌｋｙｌｅｎｅ−ｏｘｙ  ｂｒｉｄｇｅ）を一緒に表す３，４ジアルコキシチオフェン（３，４−ｄｉａｌｋｏｘｙｔｈｉｏｐｈｅｎｅ）のポリマー又はコーポリマーと、ポリアニオン（ｐｏｌｙａｎｉｏｎ）とそして非ニュートンバインダー（ｎｏｎ−Ｎｅｗｔｏｎｉａｎ  ｂｉｎｄｅｒ）と、を具備する水性組成物（ａｑｕｅｏｕｓ
ｃｏｍｐｏｓｉｔｉｏｎ）と、オプション的に代替えされたサポート（ｓｕｂｂｅｄ  ｓｕｐｏｒｔ）、誘電体層（ｄｉｅｌｅｃｔｒｉｃ  ｌａｙｅｒ）、リン光層（ｐｈｏｓｐｈｏｒ  ｌａｙｅｒ）又はオプション的に透明な導電性コーティングに、上記水性配合物を塗布する過程と、そしてそれにより塗布された水性配合物を乾燥する過程と、を具備する導電層を用意する方法と、導電層を用意するための上記説明の方法により用意される帯電防止及び導電性コーティング（ａｎｔｉｓｔａｔｉｃ  ａｎｄ  ｅｌｅｃｔｒｏｃｏｎｄｕｃｔｉｖｅ  ｃｏａｔｉｎｇ）と、上記説明の水性配合物を含むプリンティングインク又はペーストと、そして上記説明のプリンティングインクを提供する過程と、オプション的に代替えされたサポート、誘電体層、リン光層又はオプション的に透明な導電性コーティングの上に該プリンティングインクをプリントする過程と、を具備するプリンティング工程と、を開示している。しかしながら、特許文献１０は、ランプ、ディスプレー（ｄｉｓｐｌａｙｓ）、バックライト（ｂａｃｋ−ｌｉｇｈｔｓ）例えばＬＣＤ、自動車ダッシュボード（ａｕｔｏｍｏｂｉｌｅ  ｄａｓｈｂｏａｒｄ）及びキースイッチバックライティング（ｋｅｙｓｗｉｔｃｈ  ｂａｃｋｌｉｇｈｔｉｎｇ）、緊急用照明（ｅｍｅｒｇｅｎｃｙ  ｌｉｇｈｔｉｎｇ）、セルラーフォン、パーソナルデジタルアシスタント、ホームエレクトロニクス（ｈｏｍｅ  ｅｌｅｃｔｒｏｎｉｃｓ）、指示灯（ｉｎｄｉｃａｔｏｒ  ｌａｍｐｓ）そして光放射が必要な他の応用品で使われ得るエレクトロルミネッセント（ｅｌｅｃｔｒｏｌｕｍｉｎｅｓｃｅｎｔ）デバイスの生産の過程である、オプション的に代替えされたサポート、誘電体層、リン光層又はオプション的に透明な導電層に帯電防止又は導電性層を塗布するためのこの様なインクの塗布を開示しているのみである。
【００１３】
特許文献１１は、中でその２つのアルコシキ基は同じであるか、又は異なるか、又はオプション的に置換されたオキシアルキレンオキシブリッジを一緒に示してもよい３，４−ジアルコキシチオフェンのポリマー又はコーポリマーと、ポリアニオンとそしてラテックスバインダーとを、溶媒又は水性媒体内に含む染料を含まないフレキソグラフィックインク（ｆｌｅｘｏｇｒａｐｈｉｃ  ｉｎｋ）であり、３，４−ジアルコキシチオフェンのポリマー又はコーポリマーが重量で少なくとも０．１％の濃度で該インク内にあり、該インクは比色計では加成性を示す（ｃｏｌｏｒｉｍｅｔｒｉｃａｌｌｙ  ａｄｄｉｔｉｖｅ）透明プリントを作ることが出来る特徴を有する該フレキソグラフィックインクと、該フレキソグラフィックインク（ｆｌｅｘｏｇｒａｐｈｉｃ  ｉｎｋ）を用意する方法と、それを用いたフレキソグラフィックプリンティング工程と、を開示している。しかしながら、特許文献１１は、玩具の様な１つの又は限られた使用品目用の電気回路の生産で、無線周波数タグ（ｒａｄｉｏｆｒｅｑｕｅｎｃｙ  ｔａｇｓ）の部品としての容量性アンテナ（ｃａｐａｃｉｔｉｖｅ  ａｎｔｅｎｎａｅ）で、ランプ、ディスプレー、バックライト例えばＬＣＤ、自動車ダッシュボード及びキースイッチバックライティング、緊急用照明、セルラーフォン、パーソナルデジタルアシスタント、ホームエレクトロニクス、指示灯そして光放射が必要な他の応用品で使われ得るエレクトロルミネッセントデバイスで、の生産の過程である、オプション的に代替えされたサポート、誘電体層、リン光層そして透明な導電層に帯電防止及び導電性パターンを塗布するためのこの様なインクの塗布を示すのみである。
【００１４】
従って、タグ、ラベル又はパッケージのプリティング工程で、又はパッケージング工程自身に容易に組み入れられ得る、情報記憶の容易で廉価な手段のニーヅが存在する。
【００１５】
更に、この様な容易で廉価な情報記憶手段は自らを環境に優しい廃棄（ｅｎｖｉｒｏｎｍｅｎｔａｌｌｙ  ｆｒｉｅｎｄｌｙ  ｄｉｓｐｏｓａｌ）に供することを可能にするに違いない。
【００１６】
従来技術
今まで下記の従来技術の文書が本出願人に公知である。
【特許文献１】米国特許第６，５４２，３９７号明細書、２００３年４月１日発行
【特許文献２】米国特許第６，６４９，４９９号明細書、２００３年１１月１８日発行
【特許文献３】米国特許第６，１０７，６６６号明細書、２０００年８月２２日発行
【特許文献４】米国特許第６，６５６，７６３号明細書、２００３年１２月２日発行
【特許文献５】米国特許出願第２００４／０１４９、５５２Ａ１号明細書、２００４年８月５日発行
【特許文献６】米国特許出願第２００３／０２３０、７４６Ａ１号明細書、２００３年１２月１８日発行
【特許文献７】米国特許出願第２００１／０３９、１２４Ａ１号明細書、２００１年１１月８日発行
【特許文献８】国際公開第ＷＯ０２／００２９７０６Ａ１号パンフレット、２００２年４月１１日発行
【特許文献９】米国特許第５，４６４，９８９号明細書、１９９５年１１月７日発行
【特許文献１０】国際公開第ＷＯ０２／０７９３１６Ａ１号パンフレット、２００２年１０月１０日発行
【特許文献１１】国際公開第ＷＯ０３／０００７６５Ａ１号パンフレット、２００３年１月３日発行
【特許文献１２】欧州特許出願公開第ＥＰ−Ａ１０５４４１４号明細書
【特許文献１３】米国特許第６，０５５，１８０号明細書
【特許文献１４】国際公開第ＷＯ−Ａ０３／０４８２２８号パンフレット
【特許文献１５】国際公開第ＷＯ−Ａ０３／０４８２２９号パンフレット
【非特許文献１】Ｓｈａｗｎ  Ｓｍｉｔｈ  ａｎｄ  Ｓｔｅｐｈｅｎ  Ｒ．Ｆｏｒｒｅｓｔ：“Ａ  ｌｏｗ  ｓｗｉｔｃｈｉｎｇ  ｖｏｌｔａｇｅ  ｏｒｇａｎｉｃ−ｏｎ−ｉｎｏｒｇａｎｉｃ  ｈｅｔｅｒｏｊｕｎｃｔｉｏｎ  ｍｅｍｏｒｙ  ｅｌｅｍｅｎｔ  ｕｔｉｌｉｚｉｎｇ  ａ  ｃｏｎｄｕｃｔｉｖｅ  ｐｏｌｙｍｅｒ  ｆｕｓｅ  ｏｎ  ａ  ｄｏｐｅｄ  ｓｉｌｉｃｏｎ  ｓｕｂｓｔｒａｔｅ”ｉｎ  Ａｐｐｌｉｅｄ  Ｐｈｙｓｉｃｓ  Ｌｅｔｔｅｒｓ、  ｖｏｌｕｍｅ  ８４（２４）、ｐａｇｅｓ  ５０１９−５０２１（２００４）ｐｕｂｌｉｃａｔｉｏｎ  ｄａｔｅ  Ｊｕｎｅ  １４，２００４
【発明の開示】
【発明が解決しようとする課題】
【００１７】
発明の側面（ＡＳＰＥＣＴＳ  ＯＦ  ＴＨＥ  ＩＮＶＥＮＴＩＯＮ）
以上から本発明の側面は、廉価な不揮発性メモリー素子を提供することである。
【００１８】
以上から本発明の更に進んだ側面は、タグ、ラベル又はパッケージのプリンティング工程又はパッケージング工程自体に容易に組み込まれ得る、情報を記憶する容易で廉価な手段を実現することである。
【００１９】
本発明の更に進んだ側面は、自身を環境的にやさしい廃棄に帰させることが出来て、情報を記憶する容易で廉価な手段を実現することである。
【００２０】
本発明のなお更に進んだ側面は、導電性又は半導電性材料（ｅｌｅｃｔｒｉｃａｌ  ｃｏｎｄｕｃｔｉｎｇ  ｏｒ  ｓｅｍｉｃｏｎｄｕｃｔｉｎｇ）のパッド（ｐａｄｓ）が導電面上に提供されること、そして分離用材料（ｉｓｏｌａｔｉｎｇ  ｍａｔｅｒｉａｌ）が第１及び第２電極の間に、該２つの電極平面が直接の物理的及び電気的接触無しに相互の頂部上にあるよう、提供されること、そして導電又は半導電材料が予め選択された位置に提供され、電気的相互接続（ｅｌｅｃｔｒｉｃａｌ  ｉｎｔｅｒｃｏｎｎｅｃｔ）を行うために該第１及び第２両電極に接触することを特徴とする電子装置を実現することである｛導電性ブリッジ（ｃｏｎｄｕｃｔｉｖｅ  ｂｒｉｄｇｅ）｝。
【００２１】
本発明の更に進んだ側面と利点はこの後の説明から明らかになるだろう。
【課題を解決するための手段】
【００２２】
本発明の概要（ＳＵＭＭＡＲＹ  ＯＦ  ＴＨＥ  ＩＮＶＥＮＴＩＯＮ）
第１の電極システム（ｆｉｒｓｔ  ｅｌｅｃｔｒｏｄｅ  ｓｙｓｔｅｍ）と、第２のパターン化した電極システム（ｓｅｃｏｎｄ  ｐａｔｔｅｒｎｅｄ  ｅｌｅｃｔｒｏｄｅ  ｓｙｓｔｅｍ）と、該第１の電極システムと該第２のパターン化した電極システムの間の絶縁システム（ｉｎｓｕｌａｔｉｎｇ  ｓｙｓｔｅｍ）と、そして該第１の電極システムと第２のパターン化した電極システムの間の少なくとも１つの導電性ブリッジ（ｃｏｎｄｕｃｔｉｖｅ  ｂｒｉｄｇｅ）と、を具備する要素であるが、該第１の電極システムは導電面（ｃｏｎｄｕｃｔｉｖｅ  ｓｕｒｆａｃｅ）又は導電層（ｃｏｎｄｕｃｔｉｖｅ  ｌａｙｅｒ）でありそして該少なくとも１つの導電性ブリッジを欠く（ａｂｓｅｎｃｅ）場合は該第１及び該第２電極システム間には直接の電気的接触は無い該要素が、従来のプリンティング工程（ｐｒｉｎｔｉｎｇ  ｐｒｏｃｅｓｓｅｓ）でプリント可能（ｐｒｉｎｔａｂｌｅ）であることが驚くことに見出された。
【００２３】
本発明の側面は、第１電極システム及び第２電極システムを具備する受動記憶要素であって、該第１電極システムはパターン化した絶縁システムにより該第２電極システムから絶縁されており、該第１電極システムは導電面又は導電層であり、該第２電極システムは複数の分離された導電範囲（ｉｓｏｌａｔｅｄ  ｃｏｎｄｕｃｔｉｖｅ  ａｒｅａｓ）及び／又は相互から分離された複数の導電ピン（ｃｏｎｄｕｃｔｉｎｇ  ｐｉｎｓ）であり、該第２電極システムの該分離された導電範囲の少なくとも１つと該第１電極システムの間に導電性ブリッジがあるか、又は該第１電極システムと隣接しない該絶縁システムの側上の少なくとも１つの予め指定された点から該導電面又は導電層まで少なくとも１つの導電小球（ｃｏｎｄｕｃｔｉｖｅ  ｂｌｏｂ）が提供され、該導電小球は該第２電極システムの該複数の導電ピンの１つが該パターン化された絶縁システム上の該導電小球の部分と接触する時、該第１及び該第２電極システム間に、単に読み出し目的用に、導電性ブリッジを作り、該少なくとも１つの導電性ブリッジを欠く場合は、該第１及び該第２電極システム間に直接の電気的接触は無く、そして該第１電極システムが金属サポートの導電面であることを除けば、該システム、該少なくとも１つの導電性ブリッジそして該少なくとも１つの導電小球が従来のプリンティング工程を使ってプリント可能である、該受動記憶要素により実現される。
【００２４】
又本発明の側面は第１受動記憶装置により実現されるが、該第１受動記憶装置は少なくとも１つの受動記憶要素と、該受動記憶要素を提供されたその少なくとも１つの側に少なくとも１つの導電面又は表面層（ｓｕｒｆａｃｅ  ｌａｙｅｒ）を備えたサポートと、を具備しており、該受動記憶要素は第１電極システム及び第２電極システムを備え、該第１電極システムはパターン化した絶縁システムにより該第２電極システムから絶縁され、該第１電極システムは導電面又は導電層であり、該第２電極システムは相互から分離された複数の導電ピンをオプションとして一緒に伴う、複数の分離された導電範囲であり、該第
２電極システムの該分離された導電範囲の少なくとも１つと該第１電極システムとの間に導電性ブリッジがあり、該少なくとも１つの導電性ブリッジを欠く場合は該第１及び該第２のパターン化した電極システム間に直接の電気的接触は無く、そして該第１電極システムが金属サポートの導電面であることを除けば、該システムと該導電性ブリッジは従来のプリンティング工程を使ってプリント可能である。
【００２５】
又本発明の側面は第２受動記憶装置用の前駆体（ｐｒｅｃｕｒｓｏｒ）により実現されれが、該前駆体はサポートと、該サポートの少なくとも１つの側の、該サポートの導電面又は該サポート上の導電層と、該導電面又は該導電層上のパターン化した絶縁システムと、そして該導電面又は該導電層を該パターン化した絶縁システム上の少なくとも１つの位置へリンクする少なくとも１つの導電小球と、を具備しており、該オプションの導電層と、該パターン化した絶縁システムとそして該少なくとも１つの導電小球とは従来のプリンティング技術を使ってプリント可能である。
【００２６】
又本発明の側面は第２受動記憶装置により実現されるが、該第２受動記憶装置は少なくとも１つの受動記憶要素と、該受動記憶要素を提供されるその少なくとも１つの側に少なくとも１つの導電面又は表面層を備えるサポートと、を具備しており、該受動記憶要素は第１電極システムとしての該サポートの導電面又は該サポート上の表面層と、絶縁システムとを備えており、少なくとも１つの導電小球が該第１電極システムと隣接しない該絶縁システムの側上の少なくとも１つの予め指定された点から該第１電極システムまで提供され、該小球は、該第２電極システムの該複数の導電ピンの１つが該パターン化した絶縁システム上の該導電小球の部分に接した時、該第１及び該第２電極システム間で、単に読み出し目的用に、導電性ブリッジを作り、該少なくとも１つの導電性ブリッジを欠く場合は該第１電極システム及び第２電極システム間には直接の電気的接触は無く、そして該第１電極システムが金属サポートの導電面であることを除けば、該システムと該少なくとも１つの導電小球は従来のプリンティング工程を使ってプリント可能である。
【００２７】
又本発明の側面は第１受動記憶装置を提供する工程により実現されるが、該装置は少なくとも１つの受動記憶要素と、該受動記憶要素を提供されるその少なくとも１つの側上に少なくとも１つの導電面又は導電層を備えるサポートと、を具備しており、該受動記憶要素は第１電極システムと第２電極システムとを備えており、該第１電極システムは該第２電極システムから絶縁されており、該第１電極システムは導電面又は導電層であり、該第２電極システムは相互から分離された複数の導電ピンをオプションとして一緒に伴う、複数の分離された導電範囲であり、該第２電極システムの該分離された導電範囲の少なくとも１つと該第１電極システムの間には導電性ブリッジがあり、該少なくとも１つの導電性ブリッジを欠く場合は該第１及び該第２のパターン化した電極システム間には直接の電気的接触は無く、そして該第１電極システムが金属サポートの該導電面であることを除けば該システムと該導電性ブリッジは従来のプリンティング工程を使ってプリント可能である、該第１受動記憶装置を提供する工程は、該サポートを提供する過程と、もし該サポートが非金属性であれば該サポート上に該導電層を実現する過程と、該導電面又は導電層上にパターン化した絶縁システムを実現する過程と、該パターン化した絶縁システム上に複数の分離された導電範囲を提供する過程と、そして該分離された導電範囲の少なくとも１つと該導電面又は該導電層との間で予め指定された点に導電性ブリッジを提供する過程と、を具備しており、導電層をオプション的に提供する過程と、パターン化した絶縁システムを提供する過程と、複数の分離した導電範囲を提供する過程と、そして導電性ブリッジを提供する過程と、の少なくとも１つは従来のプリンティング工程で実現される。
【００２８】
又本発明の側面は第２受動記憶装置用前駆体を提供する工程により実現されるが、該前駆体はサポートと、該サポートの少なくとも１つの側の、該サポートの導電面又は該サポート上の導電層と、該導電面又は該導電層上のパターン化した絶縁システムと、そして該導電面又は該導電層を該パターン化した絶縁システム上の少なくとも１つの位置へリンクする少なくとも１つの導電小球と、を具備しており、該オプションの導電層、該パターン化した絶縁システムそして該少なくとも１つの導電小球は従来のプリンティング技術を使ってプリント可能である、該前駆体を提供する工程は、該サポートを提供する過程と、該サポートが非金属性であれば該サポート上に該導電層を実現する過程と、該パターン化した絶縁システムを実現する過程と、そして該第１電極システムに隣接しない該絶縁システムの側から該導電面又は該導電層まで予め指定された点で導電小球を提供する過程と、を具備しており、導電層をオプション的に提供する過程と、該絶縁システムを提供する過程と、そして該導電小球を提供する過程と、の少なくとも１つは従来のプリンティング工程で実現される。
【００２９】
又本発明の側面は第２受動記憶装置を提供する工程により実現されるが、該受動記憶装置は少なくとも１つの受動記憶要素と、該受動記憶要素を提供されたその少なくとも１つの側に少なくとも１つの導電面又は表面層を備えるサポートと、を具備しており、該受動記憶要素は、第１電極システムとしての該サポートの該導電面又は該サポート上の該表面層と、絶縁システムとを備えており、該第１電極システムに隣接しない該絶縁システムの側上の少なくとも１つの予め指定された点から該第１電極システムまで少なくとも１つの導電小球が提供され、該小球は、第２電極システムの複数の導電ピンの１つが該パターン化した絶縁システム上の該導電小球の部分と接触した時、該第１及び該第２電極システム間に、単に読み出しの目的用に、導電性ブリッジを作り、該少なくとも１つの導電性ブリッジを欠く場合は、該第１電極システムと第２電極システムの間に直接の電気的接触は無く、該第１電極システムが金属サポートの導電面であることを除けば、該システムと該少なくとも１つの導電小球は従来のプリンティング工程を使ってプリント可能である、該第２受動記憶装置を提供する工程は、該サポートを提供する過程と、もし該サポートが非金属性であれば該サポート上に該導電層を実現する過程と、該パターン化した絶縁システムを実現する過程と、該第１電極システムに隣接しない該絶縁システムの側上の少なくとも１つの予め指定された点から該導電面又は該導電層まで少なくとも１つの導電小球を提供する過程と、そして単に読み出しの目的用の該第２電極システムとして複数のピンを実現する過程と、を具備しており、導電層をオプション的に提供する過程と、該絶縁システムを提供する過程と、該導電小球を提供する過程と、そして該第２電極システムを提供する過程と、の少なくとも１つが従来のプリンティング工程で実現される。
【００３０】
本発明の好ましい実施態様は本発明の詳細な説明で開示される。
【００３１】
本発明の詳細な説明（ＤＥＴＡＩＬＥＤ  ＤＥＳＣＲＩＰＴＩＯＮ  ＯＦ  ＴＨＥ  ＩＮＶＥＮＴＩＯＮ）
定義（Ｄｅｆｉｎｉｔｉｏｎｓ）
用語、受動的メモリー（ｐａｓｓｉｖｅ  ｍｅｍｏｒｙ）は、本発明の開示で使われる時、不揮発性メモリー（ｎｏｎ−ｖｏｌａｔｉｌｅ  ｍｅｍｏｒｙ）、すなわち、読み出し専用メモリー（ｒｅａｄ−ｏｎｌｙ  ｍｅｍｏｒｙ）を意味し、可逆メモリー（ｒｅｖｅｒｓｉｂｌｅ  ｍｅｍｏｒｉｅｓ）から区別されるべきである。
【００３２】
用語、“サポート（ｓｕｐｐｏｒｔ）”は、本発明の開示で使われる時、サポート上でコートされるがそれ自身では自己支持しない“層（ｌａｙｅｒ）”からそれを区別するため“自己支持材料（ｓｅｌｆ−ｓｕｐｐｏｒｔｉｎｇ  ｍａｔｅｒｉａｌ）”を意味する。又それは導電性表面層へか、又は絶縁システムへか、何れかへの接着（ａｄｈｅｓｉｏｎ）に必要な何等かの処理、又は該接着を助けるべく付けられる層を含む。
【００３３】
用語、プリント可能な（ｐｒｉｎｔａｂｌｅ）は、本発明の開示で使われる時、従来のインパクト（ｉｍｐａｃｔ）及び／又はノンインパクト（ｎｏｎ−ｉｍｐａｃｔ）のプリ
ンティング工程によりプリントされることが出来ることを意味し、そして従来のエレクトロニクス（ｅｌｅｃｔｒｏｎｉｃｓ）、例えば、シリコンベースのエレクトロニクスの生産で使われる蒸発（ｅｖａｐｏｒａｔｉｏｎ）、エッチング（ｅｔｃｈｉｎｇ）、拡散（ｄｉｆｆｕｓｉｏｎ）工程の様な工程は除く。
【００３４】
用語、従来のプリンティング工程（ｃｏｎｖｅｎｔｉｏｎａｌ  ｐｒｉｎｔｉｎｇ  ｐｒｏｃｅｓｓｅｓ）は、本発明の開示で使われる時、インクジェットプリンティング、インタグリオプリンティング（ｉｎｔａｇｌｉｏ  ｐｒｉｎｔｉｎｇ）、スクリーン（ｓｃｒｅｅｎ）プリンティング、フレキソグラフィック（ｆｌｅｘｏｇｒａｐｈｉｃ）プリンティング、オフセット（ｏｆｆｓｅｔ）プリンティング、スタンプ（ｓｔａｍｐ）プリンティング、グラビヤ（ｇｒａｖｕｒｅ）プリンティング、そして感熱及びレーザー誘起工程（ｔｈｅｒｍａｌ  ａｎｄ  ｌａｓｅｒ−ｉｎｄｕｃｅｄ  ｐｒｏｃｅｓｓｅｓ）を含むがそれらに限定されない。
【００３５】
用語、インパクトプリンティングは、本発明の開示で使われる時、該プリントが作られる媒体（ｍｅｄｉｕｍ）と、該プリンティングシステム、例えば、デージーホイール（ｄａｉｓｙ−ｗｈｅｅｌ）、ドットマトリックス（ｄｏｔ−ｍａｔｒｉｘ）そしてラインプリンター（ｌｉｎｅ  ｐｒｉｎｔｅｒｓ）の様にインクリボンを打つことにより作動するプリンター、そして感熱ヘッド内の加熱要素との直接接触によりサーモグラフイック材料（ｔｈｅｒｍｏｇｒａｐｈｉｃ  ｍａｔｅｒｉａｌ）がプリントされる直接式感熱プリンター（ｄｉｒｅｃｔ  ｔｈｅｒｍａｌ  ｐｒｉｎｔｅｒｓ）そしてオフセット、グラビヤ又はフレキソグラフィックプリンティングの様にマスターが望まれる画像又は形状に対応する範囲上のインク層でカバーされ、その後該インクが該媒体に転送されるプリンター、との間で接触が行われるプリンティング工程を意味する。
【００３６】
用語、ノンインパクトプリンティング工程（ｎｏｎ−ｉｍｐａｃｔ  ｐｒｉｎｔｉｎｇ
ｐｒｏｃｅｓｓ）は、本発明の開示で使われる時、例えば、プリントが該プリント媒体を打つ必要無しに作られる電子製版プリンター、静電記録プリンター、レーザープリンター、インクジェットプリンターの様に、該プリントが作られる媒体と該プリンティングシステムとの間で接触が行われないプリンティング工程を意味する。
【００３７】
用語、導電性ブリッジ（ｃｏｎｄｕｃｔｉｖｅ  ｂｒｉｄｇｅ）は、本発明の開示で使われる時、恒久的であるか又は単に読み出し目的用である第１及び第２電極システム間の電気的接触（ｅｌｅｃｔｒｉｃａｌ  ｃｏｎｔａｃｔ）を提供する何等かの形状を有する導電小球を意味する。恒久的導電性ブリッジの例は、分離された導電範囲（第２電極システム）と、導電面又は導電層（第１電極システム）の間のものである。単に読み出し目的用の導電性ブリッジの例は、導電面又は導電層（第１電極システム）と、該絶縁システム上で該第１電極システムに隣接しない該絶縁システムの側上の位置と、の間にブリッジを形成する導電小球（ａ  ｃｏｎｄｕｃｔｉｖｅ  ｂｌｏｂ）の端部（ｔｈｅ  ｅｎｄ）と、予め指定されたピン（ｐｒｅｄｅｓｉｇｎａｔｅｄ  ｐｉｎ）（第２電極システム）との間の接触時、形成されるもの（ｏｎｅ  ｗｈｉｃｈ  ｉｓ  ｆｏｒｍｅｄ  ｕｐｏｎ  ｃｏｎｔａｃｔ）である。
【００３８】
用語、パターンは、本発明の開示で使われる時、不連続層（ｎｏｎ−ｃｏｎｔｉｎｕｏｕｓ  ｌａｙｅｒ）を意味し、それはどんな形のライン、方形、円又は何等かのランダム形状であってもよい。
【００３９】
用語、層は、本発明の開示で使われる時、例えば、サポートと呼ばれる実体（ｅｎｔｉｔｙ）の全範囲をカバーするコーティングを意味する。
【００４０】
用語、導電ピン（ｃｏｎｄｕｃｔｉｎｇ  ｐｉｎ）は、本発明の開示で使われる時、導電面と接触することが出来る導電用物体（ｃｏｎｄｕｃｔｉｎｇ  ｏｂｊｅｃｔ）を意味し、そして隣接するピンと接触せずそして該導電面又は導電層との接触が実現するなら、例えば１０μｍから１０ｍｍの範囲の寸法を有する、どんな形状そしてどんな輪郭（ｐｒｏｆｉｌｅ）、例えば、方形、長方形、円形又は楕円形の輪郭を有することも出来る。該導電ピンは従って導電パッド（ｃｏｎｄｕｃｔｉｖｅ  ｐａｄｓ）でもよい。
【００４１】
用語、メタライズされたサポート（ｍｅｔａｌｌｉｚｅｄ）は、本発明の開示で使われる時、その少なくとも１面が、例えば、プリンティング（ｐｒｉｎｔｉｎｇ）、積層（ｌａｍｉｎａｔｉｏｎ）、金属箔（ｍｅｔａｌ  ｆｏｉｌ）の取り付け、スパッタリング（ｓｐｕｔｔｅｒｉｎｇ）そして蒸発（ｅｖａｐｏｒａｔｉｏｎ）の様な、当業者に公知の何等かの工程により金属でカバーされたサポートを意味する。
【００４２】
用語、絶縁層は、本発明の開示で使われる時、導電層の分離に使われる高電気抵抗を有する層であり、該層は絶縁層の両側に隣接する導電層間の望ましくない電流流れを防止し、特に５Ｖの電圧で測定して５μＡより少ない２電極間漏洩電流を提供する層である。
【００４３】
用語、導電性（ｃｏｎｄｕｃｔｉｖｅ）は、材料の電気抵抗に関係し、層の電気抵抗は面抵抗（ｓｕｒｆａｃｅ  ｒｅｓｉｓｔａｎｃｅ）ＲＳの用語で一般的に表される｛単位オーム（Ω）；オーム／平方として指定されることが多い｝。代わりに、該導電性は比（容積）抵抗率｛ｓｐｅｃｉｆｉｃ（ｖｏｌｕｍｅ）ｒｅｓｉｓｔｉｖｉｔｙ｝ＲＶ＝ＲＳ・ｄの用語で表されてもよく、ここでｄは層の厚さであり、ＲＶ又はρはオーム−ｃｍの単位である。用語、導電性は、本発明の開示で使われる時、１０６オーム／平方より小さい、好ましくは１０４オーム／平方より小さい面抵抗を有するか、又は１０２オームｃｍより小さい、好ましくは１オームｃｍより小さい比抵抗率を有する材料を意味する。
【００４４】
用語、本質的に導電性のポリマー（ｉｎｔｒｉｎｓｉｃａｌｌｙ  ｃｏｎｄｕｃｔｉｖｅ  ｐｏｌｙｍｅｒ）は、本発明の開示で使われる時、（ポリ）−共役パイ−電子システム｛（ｐｏｌｙ）−ｃｏｎｊｕｇａｔｅｄπ−ｅｌｅｃｔｒｏｎ  ｓｙｓｔｅｍｓ｝｛例えば、２重結合（ｄｏｕｂｌｅ  ｂｏｎｄｓ）、芳香族（ａｒｏｍａｔｉｃ）又はヘテロ芳香族（ｈｅｔｅｒｏａｒｏｍａｔｉｃ）環（ｒｉｎｇｓ）又は３重結合（ｔｒｉｐｌｅ
ｂｏｎｄｓ）｝を有し、その導電特性が相対湿度の様な環境要因により影響されない有機ポリマーを意味する。
【００４５】
用語、透明性（ｔｒａｎｓｐａｒｅｎｔ）は、本発明の開示で使われる時、入射光の少なくとも７０％をそれを拡散することなく透過させる性質を有することを意味する。
【００４６】
用語、柔軟性（ｆｌｅｘｉｂｌｅ）は、本発明の開示で使われる時、例えばドラムの様なカーブした物体（ｏｂｊｅｃｔ）の曲率に、破壊されることなく従うことが出来ることを意味する。
【００４７】
ＰＥＤＯＴは、本発明の開示で使われる時、ポリ（３，４−エチレンジオキシチオフェン）｛ｐｏｌｙ（３，４−ｅｔｈｙｌｅｎｅｄｉｏｘｙｔｈｉｏｐｈｅｎｅ）｝を表す。
【００４８】
ＰＳＳは、本発明の開示で使われる時、ポリ（ｐｏｌｙ）｛スチレンスルフォン酸（ｓｔｙｒｅｎｅ  ｓｕｌｆｏｎｉｃ  ａｃｉｄ）｝又はポリ（ｐｏｌｙ）｛スチレンスルフォン酸塩（ｓｔｙｒｅｎｅ  ｓｕｌｆｏｎａｔｅ）｝を表す。
【００４９】
パニ（ＰＡＮＩ）は、本発明の開示で使われる時、ポリアニリン（ｐｏｌｙａｎｉｌｉｎｅ）を表す。
【００５０】
受動記憶要素（Ｐａｓｓｉｖｅ  ｍｅｍｏｒｙ  ｅｌｅｍｅｎｔ）
本発明の側面は、第１電極システムと、第２電極システムを具備し、該第１電極システムがパターン化した絶縁システムにより該第２電極システムから絶縁され、該第１電極システムが導電面又は導電層であり、該第２電極システムが複数の分離された導電範囲及び／又は相互から分離された複数の導電ピンであり、該第２電極システムの該分離された導電範囲の少なくとも１つと該第１電極システムの間に導電性ブリッジが存在するか、又は該第１電極システムに隣接しない該絶縁システムの側上の少なくとも１つの予め指定された点から該導電面又は該導電層まで少なくとも１つの導電小球が提供され、該小球は、該第２電極システムの該複数の導電ピンの１つが該パターン化した絶縁システム上の該導電小球の部分に接触した時、該第１及び該第２電極システム間に、単に読み出し目的用に、導電性ブリッジを作り、該少なくとも１つの導電性ブリッジを欠く場合は、該第１及び第２電極システム間に直接の電気的接触は無く、そして該第１電極システムが金属サポートの該導電面であることを除けば、該システム、該少なくとも１つの導電性ブリッジそして該少なくとも１つの導電小球が従来のプリンティング工程を使ってプリント可能である、該受動記憶要素により実現される。
【００５１】
本発明の該受動記憶要素の第１の実施態様に依れば、該第２電極システムは読み出し装置（ｒｅａｄ−ｏｕｔ  ｄｅｖｉｃｅ）の部分である複数の導電ピンである。
【００５２】
本発明の該受動記憶要素の第２の実施態様に依れば、該第２電極システムは複数の分離された導電範囲である。
【００５３】
本発明の該受動記憶要素はリールからリールのプリンティング（ｒｅｅｌ−ｔｏ−ｒｅｅｌ  ｐｒｉｎｔｉｎｇ）により廉価な方法で作られ得る。該プリンティング工程は、少なくとも１つの過程、ａ）非金属サポート上の第１電極システムである導電層をオプションでプリントする過程、ｂ）導電性基板上に絶縁材料のパターンをプリントする過程、ｃ）該絶縁材料上に第２電極の導電パッドをオプションでプリントし、それによりその２つの電極平面（ｅｌｅｃｔｒｏｄｅ  ｐｌａｎｅｓ）が直接の物理的及び電気的接触無しに相互の頂部上にあるよう第２電極パターンを実現する過程、から成る。
【００５４】
次いで、情報が導電性ブリッジを形成するために予め選択された位置での導電材料の別のプリンティングにより記憶されるか、又は該情報が該受動記憶要素のプリンティングでの該第２電極パターン過程のプリンティングと一緒に記憶されるか何れかである。
【００５５】
該基板の該導電面と該第２電極パターンの間で予め選択された位置に導電性ブリッジを塗布することによる情報の記憶のこの様なオフラインの過程は、同じ又は異なる場所で、同じ時刻又は後の時刻に、例えば、インクジェットプリンティングにより行われてもよい。これは異なる情報を用いた各受動記憶要素の専有化（ｐｅｒｓｏｎａｌｉｚａｔｉｏｎ）を可能にする。
【００５６】
本発明の該受動記憶要素はプリンティング工程により作ることが出来る。情報はプリンティング工程を介して導電性ブリッジを創ることにより記憶されてもよい。
【００５７】
もう１つの実施態様では、情報は該記憶装置内に、２つ以上のプリンティング過程の組み合わせにより記憶され、例えば、該情報の１部分は該第２電極と一緒にプリントされ、第２部分は、追加の‘導電性ブリッジ’がプリントされる別のプリンティング過程でプリントされる。情報の第１部分は製造者の名前の様な固定情報を含み、一方第２部分は生産日付（ｐｒｏｄｕｃｔｉｏｎ  ｄａｔｅ）又はバッチ番号（ｂａｔｃｈ  ｎｕｍｂｅｒ）の様に可変的であってもよい。
【００５８】
本発明の該受動記憶要素の第３の実施態様に依れば、該受動記憶要素は第１電極システムと、絶縁システムとそして第２電極システムとを具備し、該第１電極システムは該第２電極システムから絶縁されており、該第１電極システムはサポートの導電面又は導電層であり、該第２電極システムは複数の分離された導電範囲又は相互から分離された複数の導電ピンであり、少なくとも１つの導電ピンと該第１電極システムの間には少なくとも１つの導電性ブリッジがあり、該第１電極システムが導電面であることを除けば、該システムと該導電性ブリッジは従来のプリンティング工程を使ってプリント可能である。
【００５９】
受動記憶要素−作動（Ｐａｓｓｉｖｅ  ｍｅｍｏｒｙ  ｅｌｅｍｅｎｔ−ｏｐｅｒａｔｉｏｎ）
本発明は、プリンティング工程により製作可能な少なくとも１つの簡単な受動記憶要素を具備する受動記憶装置を提供するが、該工程では予め選択された位置で導電面又は導電層（第１電極）と該第２電極システムの間に電気的相互接続（ｅｌｅｃｔｒｉｃａｌ  ｉｎｔｅｒｃｏｎｎｅｃｔｓ）（導電性ブリッジ）を提供することにより情報が記憶される。情報は導電性ブリッジの存否により記憶される。該導電面又は導電層と第２電極システムは絶縁システム（材料）により相互から電気的に絶縁される。予め選択された位置に導電システムをプリントすることにより、該導電面又は導電層（第１電極システム）と該第２電極システムの間に導電性ブリッジが形成される。該データの読み出し（Ｒｅａｄ−ｏｕｔ）は、全ての可能な位置について、該導電面又は導電層（第１電極システム）と該第２電極システムとの間の抵抗を測定することにより達成される。該抵抗率（ｒｅｓｉｓｔｉｖｉｔｙ）は接触して電気的に又は静電容量的（ｃａｐａｃｉｔｉｖｅｌｙ）に読み出され（ｒｅａｄ−ｏｕｔ）得て、２進コードの論理値（ｌｏｇｉｃａｌ  ｖａｌｕｅｓ  ｉｎ  ａ  ｂｉｎａｒｙ  ｃｏｄｅ）に対応する。
【００６０】
本発明の該受動記憶装置での該受動記憶要素の構造は好ましくは、導電面上の導電パッドの２次元配列を具備するのが良く、そして該第１及び第２電極の間に、該２つの電極面が直接の物理的及び電気的接触無しに相互の頂部上にあるよう、絶縁材料を具備し、そして該第１及び第２電極の予め選択された位置に提供され、導電性ブリッジを作るため該第１及び第２の両電極に接触する、導電性又は半導電性材料（ｅｌｅｃｔｒｉｃａｌｌｙ  ｃｏｎｄｕｃｔｉｎｇ  ｏｒ  ｓｅｍｉｃｏｎｄｕｃｔｉｎｇ  ｍａｔｅｒｉａｌ）を具備する。
【００６１】
本発明のもう１つの側面は、該導電面と各導電性パッドの間の抵抗の連続測定値（ｓｕｂｓｅｑｕｅｎｔ  ｍｅａｓｕｒｅｍｅｎｔ）による記憶装置内の内密情報（ｃｏｖｅｒｔ  ｉｎｆｏｒｍａｔｉｏｎ）の検索（ｒｅｔｒｉｅｖａｌ）に関しており、そこでは導電性ブリッジに対応する低抵抗は１つの２進状態を示し、導電性ブリッジ無しの導電パッドに対応する高抵抗は第２の２進状態を示す。
【００６２】
受動記憶装置−構成（Ｐａｓｓｉｖｅ  ｍｅｍｏｒｙ  ｄｅｖｉｃｅ−ｃｏｎｆｉｇｕｒａｔｉｏｎ）
本発明の側面は、少なくとも１つの受動記憶要素と、該受動記憶要素を提供されるその少なくとも１つの側に少なくとも１つの導電面又は表面層を備えるサポートと、を具備し、該受動記憶要素が第１電極システムと第２電極システムを備え、該第１電極システムがパターン化した絶縁システムにより該第２電極システムから絶縁され、該第１電極システムは導電面又は導電層であり、該第２電極システムは相互から分離された複数の導電ピンを場合により一緒に伴う複数の分離した導電範囲であり、該第２電極システムの該分離した導電範囲の少なくとも１つと該第１電極システムとの間には導電性ブリッジがあり、該少なくとも１つの導電性ブリッジを欠く場合は、該第１及び該第２のパターン化した電極システム間に直接の電気的接触は無く、そして該第１電極システムが金属サポートの導電面であることを除けば、該システムと該導電性ブリッジは従来のプリンティング工程を使ってプリント可能である、第１受動記憶装置により実現される。
【００６３】
本発明の側面は、少なくとも１つの受動記憶要素と、該受動記憶要素を提供されるその少なくとも１つの側に少なくとも１つの導電面又は表面層を備えるサポートと、を具備し、該受動記憶要素は第１電極システムとしての該サポートの導電面又は該サポート上の表面層と、絶縁システムと、を備え、該第１電極システムに隣接しない該絶縁システムの側の上の少なくとも１つの予め指定された点から該第１電極システムまで少なくとも１つの導電小球が提供され、該小球は、該第２電極システムの該複数の導電ピンの１つが該パターン化した絶縁システム上の該導電小球の部分と接触した時、該第１及び該第２電極システム間に、単に読み出し目的用に、導電性ブリッジを作り、該少なくとも１つの導電性ブリッジを欠く場合は、該第１電極システムと第２電極システムの間に直接の電気的接触は無く、そして該第１電極システムが金属サポートの導電面であることを除けば、該システムと該少なくとも１つの導電小球は従来のプリンティング工程を使ってプリント可能である、該第２受動記憶装置により実現される。
【００６４】
本発明の該受動記憶装置の第１の実施態様に依れば、該第１又は第２受動記憶装置は金属シリコンを除く。
【００６５】
本発明の該受動記憶装置の第２の実施態様に依れば、該サポートは柔軟な又は堅いプラスチック、ガラス、ペーパー、ボード（ｂｏａｒｄ）、カートン（ｃａｒｔｏｎ）、又はこれらの材料の何れかの複合材料（ｃｏｍｐｏｓｉｔｅ  ｍａｔｅｒｉａｌ）である。
【００６６】
本発明の該受動記憶装置の第３の実施態様に依れば、該サポートは金属サポート、メタライズされたサポート又は導電層を備えたサポートである。
【００６７】
本発明の該受動記憶装置の第４の実施態様に依れば、該導電面、該第２のパターン化した電極システムそして該少なくとも１つの導電性ブリッジの少なくとも１つは、無機導電性媒体、例えば、金属、半導電性金属酸化物及びカーボン、又は有機導電性媒体、例えば、真性として導電性を有する有機ポリマーを有する。
【００６８】
本発明の該受動記憶装置の第５の実施態様に依れば、該導電面、該第２のパターン化した電極システムそして該少なくとも１つの導電性ブリッジの少なくとも１つは、真性として導電性の有機ポリマーである有機導電媒体を有する。
【００６９】
本発明の該受動記憶装置の第６の実施態様に依れば、該導電面、該第２のパターン化した電極システムそして該少なくとも１つの導電性ブリッジの少なくとも１つはポリチオフェン（ｐｏｌｙｔｈｉｏｐｈｅｎｅ）、ポリアニリン（ｐｏｌｙａｎｉｌｉｎｅ）又はポリピロール（ｐｏｌｙｐｙｒｒｏｌｅ）を有する。
【００７０】
本発明の該受動記憶装置の第７の実施態様に依れば、該導電面、該第２のパターン化した電極システムそして該少なくとも１つの導電性ブリッジの少なくとも１つはポリ（３，４−ジオキシアルキレンチオフェン）｛ｐｏｌｙ（３，４−ｄｉｏｘｙａｌｋｙｌｅｎｅｔｈｉｏｐｈｅｎｅ）｝を有する。
【００７１】
本発明の該受動記憶装置の第８の実施態様に依れば、該導電面、該第２のパターン化した電極システムそして該少なくとも１つの導電性ブリッジの少なくとも１つはポリ（３，４−ジオキシエチレンチオフェン）｛ｐｏｌｙ（３，４−ｄｉｏｘｙｅｔｈｙｌｅｎｅｔｈｉｏｐｈｅｎｅ）｝を有する。
【００７２】
本発明の該受動記憶装置の第９の実施態様に依れば、該導電面、該第２のパターン化した電極システムそして該少なくとも１つの導電性ブリッジの少なくとも１つはカーボンを有する。
【００７３】
本発明の該受動記憶装置の第１０の実施態様に依れば、該導電面、該第２のパターン化した電極システムそして該少なくとも１つの導電性ブリッジの少なくとも１つは金属、例えば、銀又は金を有する。
【００７４】
本発明の該受動記憶装置の第１１の実施態様に依れば、該導電面、該第２のパターン化した電極システムそして該少なくとも１つの導電性ブリッジの少なくとも１つは半導電性金属酸化物又はドープされた金属酸化物、例えば、五酸化バナジウム（ｖａｎａｄｉｕｍ
ｐｅｎｔｏｘｉｄｅ）、酸化インジウム錫（ｉｎｄｉｕｍ  ｔｉｎ  ｏｘｉｄｅ）又は金属アンチモン酸塩（ｍｅｔａｌ  ａｎｔｉｍｏｎａｔｅ）を有する。
【００７５】
該電極及び導電性ブリッジの導電率は、導電性ブリッジ無しで測定される電流より著しく高い、導電性ブリッジを通過して流れる、電流を得るように充分である必要がある。該抵抗は平方当たり１から１００，０００オームの範囲にあるのが好ましく、平方当たり２０，０００オームより低いことがより好ましい。該分離された導電範囲の幅と長さは５μｍから１０ｍｍ、より好ましくはは１００μｍから０．５ｍｍの範囲内にあるのがよい。
【００７６】
該記憶装置内の該‘導電性ブリッジ’の位置は各デバイス用に種々であってもよく、かくして名前、住所、生年月日（ｄａｔｅ  ｏｆ  ｂｉｒｔｈ）、他の様な専有の／個人的な情報（ｐｅｒｓｏｎａｌｉｚｅｄ／ｉｎｄｉｖｉｄｕａｌ  ｉｎｆｏｒｍａｔｉｏｎ）、又は製品の製造日付／時刻及び値段（ｐｒｉｃｉｎｇ）を記憶してもよい。
【００７７】
本発明の該受動記憶装置の第１２の実施態様に依れば、該受動記憶装置は透明であり、それにより支援されない眼（ｕｎａｉｄｅｄ  ｅｙｅ）には殆ど不可視（ｉｎｖｉｓｉｂｌｅ）である。これは、該電極及び‘導電性ブリッジ’用の導電材料として、例えばＰＥＤＯＴ：ＰＳＳを使い、そして透明分離材料、例えば、ユーブイ硬化性インク（ＵＶ−ｃｕｒａｂｌｅ  ｉｎｋ）を使うことにより実現出来る。
【００７８】
本発明の該受動記憶装置の第１３の実施態様に依れば、該受動記憶装置は１つ以上の安全の特徴、例えば、磁気的、赤外線吸収性、サーモクロミック（ｔｈｅｒｍｏｃｈｒｏｍｉｃ）、フォトクロミック（ｐｈｏｔｏｃｈｒｏｍｉｃ）、コイン反応性（ｃｏｉｎ−ｒｅａｃｔｉｖｅ）、光学的可変性（ｏｐｔｉｃａｌｌｙ  ｖａｒｉａｂｌｅ）、蛍光性又はリン光性の、化合物等に基づく安全インク（ｓｅｃｕｒｉｔｙ  ｉｎｋｓ）と組み合わされてもよく、同位元素（ｉｓｏｔｏｐｅ）、デーエヌエイ（ＤＮＡ）、抗体（ａｎｔｉｂｏｄｉｅｓ）又は特定の検出可能な試薬等に基づく化学的又は生物学的なタガント（ｔａｇｇａｎｔ）が該記憶装置の層の１つに含まれることが可能である。該記憶装置はホログラム（ｈｏｌｏｇｒａｍ）、いじくり防止安全フイルム（ｔａｍｐｅｒ  ｐｒｏｏｆ  ｓｅｃｕｒｉｔｙ  ｆｉｌｍ）、バーコード等で上をコートされる（ｏｖｅｒｃｏａｔｅｄ）か、上にプリントされて（ｏｖｅｒｐｒｉｎｔｅｄ）もよい。本発明の該記憶装置は安全ペーパー（ｓｅｃｕｒｉｔｙ  ｐａｐｅｒ）上にプリントされてもよい。
【００７９】
本発明の該受動記憶装置の第１４の実施態様に依れば、導電性ブリッジの数は少なくとも２つである。
【００８０】
本発明の該第１の受動記憶装置の第１５の実施態様に依れば、該‘導電性ブリッジ’はカラー化されており、例えば、カーボンブラックベースのインクを使うことにより黒い。
【００８１】
本発明の該第１の受動記憶装置の第１６の実施態様に依れば、該‘導電性ブリッジ’の場所を視覚的に隠すために、導電性ブリッジ無しの残りの位置に非導電性の黒いブリッジがプリントされてもよい。該導電性及び非導電性ブリッジは、例えば、染料又は顔料を付加することにより何等かのカラーを有してもよい。
【００８２】
本発明の該第１の受動記憶装置の第１７の実施態様に依れば、該記憶装置は該‘導電性ブリッジ’の場所を視覚的に隠すために、画像又は均一にカラー化された又は不透明の層で上をプリントされる。
【００８３】
本発明の該第１の受動記憶装置の第１８の実施態様に依れば、該‘導電性ブリッジ’の場所を視覚的に隠すために、該記憶装置上にカラー化された又は不透明な箔（ｆｏｉｌ）が積層（ｌａｍｉｎａｔｅｄ）される。
【００８４】
該第１の受動記憶装置の第１９の実施態様に依れば、該第１の受動記憶装置は少なくとも１つの導電面又は表面層を備えるサポートと、該サポートの少なくとも１つの側の受動記憶要素と、を具備しており、該受動記憶要素は該サポートの導電面又は該表面層と、複数の分離された導電範囲とそして該サポートの該導電面又は表面層と該複数の分離された導電範囲との間のパターン化した絶縁システムと、を備えており、該複数の分離した導電範囲の少なくとも１つの予め指定され分離された導電範囲と該サポートの該導電面又は表面層との間には導電性ブリッジがあり、該受動記憶要素は従来のプリンティング工程を使って製作可能であり、そしてシリコン金属を除いており、そして該少なくとも１つの導電性ブリッジを欠く場合は、該第１及び該第２のパターン化した電極システム間に直接の電気的接触は無い。
【００８５】
該第２の受動記憶装置の第１５の実施態様に依れば、該第２の受動的記憶装置は少なくとも１つの導電面又は表面層を備えるサポートと、該サポートの少なくとも１つの側の請求項１による受動記憶要素と、を具備しており、該受動記憶要素は該サポートの該導電面又は該表面層と、もう１つから分離され、該パターン化した絶縁システムと接触し、それにより第２電極システムとなる複数の導電ピンと、を備えており、少なくとも１つの予め指定された導電ピンと該サポートの該導電面又は表面層との間には導電性ブリッジがあり、該導電ピンを除く該受動記憶要素は従来のプリンティング工程を用いて製作可能であり、シリコン金属を除いており、そして該少なくとも１つの導電性ブリッジを欠く場合は、該第１電極システムと該複数の導電ピンの該少なくとも１つの間に直接の電気的接触は無い。
【００８６】
１実施態様では、該第１電極は連続的であり、該第２電極は１次元的（導電ラインの１行、図１ａ）又は２次元的（配列構成での導電性又は半導電性材料のパッチ／ドット）とすることが出来る。該第１電極は金属性ブリスターパッケージ（ｍｅｔａｌｌｉｃ  ｂｌｉｓｔｅｒ  ｐａｃｋａｇｅ）の様に、パッケージの一体的部品であってもよい。該第２電極は該第１電極から物理的及び電気的に分離される。導電性ブリッジは該第１及び第２電極間で予め選択された位置に作られる。これは別のプリンティング過程内でもよく、或いは該第２電極のプリンティングと組み合わされてもよい（図１ｂ）。
【００８７】
図２はもっと簡単な実施態様を示し、そこでは該第２電極はプリントされず、導電性ブリッジ及び導電性パッチのみが予め選択された位置にプリントされる。電気的読み出し（Ｅｌｅｃｔｒｉｃａｌ  ｒｅａｄｏｕｔ）は、導電性材料の無い（第１電極システム上に絶縁材料のみがある）範囲と、分離された導電範囲及び導電性ブリッジがある範囲と、の間を区別する。
【００８８】
絶縁システム（Ｉｎｓｕｌａｔｉｎｇ  Ｓｙｓｔｅｍｓ）
用語、絶縁システムは、本発明の開示で使われる時、恒久的に絶縁するシステム、すなわち、その特性が普通の周囲条件下で変更出来ず（ｕｎｃｈａｎｇｅａｂｌｅ）、その抵抗が高電圧電気パルスを印加することにより変更不可能な、システムを意味しており、そして特許文献４で開示される様に、その導電率がドーピングにより影響される半導電層（ｓｅｍｉｃｏｎｄｕｃｔｉｎｇ  ｌａｙｅｒｓ）と、その導電性状態が、特許文献５で開示される様に、各々が該絶縁システムの側の１つと連続する隣接する第１及び第２電極間の比較的大きな電圧差（ｖｏｌｔａｇｅ  ｄｉｆｆｅｒｅｎｔｉａｌ）の印加時、変化し得る導電性有機ポリマー層（ｃｏｎｄｕｃｔｉｖｅ  ｏｒｇａｎｉｃ  ｐｏｌｙｍｅｒ  ｌａｙｅｒｓ）と、を除く。
【００８９】
適当な絶縁材料は無機及び有機材料であり、例えば、アクリル酸エステル（ａｃｒｙｌａｔｅｓ）、オレフィン、メタアクリル酸エステル（ｍｅｔｈａｃｒｙｌａｔｅｓ）、アクリルアミド（ａｃｒｙｌａｍｉｄｅｓ）、メタアクリルアミド（ｍｅｔｈａｃｒｙｌａｍｉｄｅｓ）、アクリロニトリル（ａｃｒｙｌｏｎｉｔｒｉｌｅ）、塩化ビニル、ビニルアルコール、塩化ビニリデン（ｖｉｎｙｌｉｄｅｎｅ  ｃｈｌｏｒｉｄｅ）、フッ化ビニル（ｖｉｎｙｌ  ｆｌｕｏｒｉｄｅ）、フッ化ビニリデン（ｖｉｎｙｌｉｄｅｎｅ  ｆｌｕｏｒｉｄｅ）、他のフッ化エチレン化合物、ビニルアセタール、ビニルアセテート、スチレンそしてブタジエンから成る群から選択されたホモポリマー（ｈｏｍｏｐｏｌｙｍｅｒｓ）及びコーポリマー（ｃｏｐｏｌｙｍｅｒｓ）の様なポリマー性材料（ｐｏｌｙｍｅｒｉｃ  ｍａｔｅｒｉａｌｓ）、シリカ、アルミナ、アルミナ水和物（ａｌｕｍｉｎａ  ｈｙｄｒａｔｅｓ）の様な無機フィラー、そしてガラスファイバーの様な無機ファイバーである。又該絶縁システムはユーブイ硬化性（ＵＶ−ｃｕｒａｂｌｅ）のインク又はワニスとすることが出来る。
【００９０】
該受動記憶装置を作る工程（Ｐｒｏｃｅｓｓ  ｆｏｒ  ｐｒｏｄｕｃｉｎｇ  ｔｈｅ  ｍｅｍｏｒｙ  ｐａｓｓｉｖｅ  ｄｅｖｉｃｅ）
本発明の側面は第１受動記憶装置を提供する工程により実現されるが、該第１受動記憶装置は少なくとも１つの受動記憶要素と、該受動記憶要素を提供されるその少なくとも１つの側に少なくとも１つの導電面又は導電層を備えるサポートと、を具備しており、該受動記憶要素は第１電極システム及び第２電極システムを備えており、該第１電極システムは該第２電極システムから絶縁されており、該第１電極システムは導電面又は導電層であり、該第２電極システムは相互から分離された複数の導電ピンを場合により一緒に伴う複数の分離された導電範囲であり、該第２電極システムの該分離された導電範囲の少なくとも１つと該第１電極システムとの間には導電性ブリッジがあり、該少なくとも１つの導電性ブリッジを欠く場合は、該第１及び該第２のパターン化した電極システム間には直接の電気的接触は無く、そして該第１電極システムが金属サポートの該導電面であることを除けば該システムと該導電性ブリッジとは従来のプリンティング工程を用いてプリント可能である、該第１受動記憶装置を提供する工程は、該サポートを提供する過程と、もし該サポートが非金属性であるなら該サポート上に該導電層を実現する過程と、該導電面又は導電層の上にパターン化した絶縁システムを実現する過程と、該パターン化した絶縁システム上に複数の分離された導電範囲を提供する過程と、そして該分離された導電範囲の少なくとも１つと該導電面又は該導電層との間で予め指定された点に導電性ブリッジを提供する過程と、を具備しており、導電層をオプション的に提供する過程と、パターン化した絶縁システムを提供する過程と、複数の分離された導電範囲を提供する過程と、そして導電性ブリッジを提供する過程と、の少なくとも１つは従来のプリンティング工程で実現される。
【００９１】
本発明の側面は第２受動記憶装置を提供する工程により実現されるが、該受動記憶装置は少なくとも１つの受動記憶要素と、該受動記憶要素を提供されるその少なくとも１つの側に少なくとも１つの導電面又は表面層を備えるサポートと、を具備しており、該受動記
憶要素は第１電極システムとしての該サポートの該導電層又は該サポート上の該表面層と、絶縁システムと、を備えており、該第１電極システムに隣接しない該絶縁システムの側上の少なくとも１つの予め指定された点から、該第１電極システムまで少なくとも１つの導電小球が提供されるが、該小球は、該第２電極システムの該複数の導電ピンの１つが該パターン化した絶縁システム上の該導電小球の部分と接触する時、該第１及び該第２電極システム間に、単に読み出し目的用に、導電性ブリッジを作り、該少なくとも１つの導電性ブリッジを欠く場合は、該第１電極システム及び該第２電極システム間に直接の電気的接触は無く、そして該第１電極システムが金属サポートの該導電面であることを除けば該システムと該少なくとも１つの導電小球とは従来のプリンティング工程を用いてプリント可能である、該第２受動記憶装置を提供する工程は、該サポートを提供する過程と、もし該サポートが非金属性であるなら該サポート上に該導電層を実現する過程と、該パターン化した絶縁システムを実現する過程と、該第１電極システムに隣接しない該絶縁システムの側上の少なくとも１つの予め指定された点から該導電面又は該導電層まで少なくとも１つの導電小球を提供する過程と、そして単に読み出しの目的用の該第２電極システムとして複数のピンを実現する過程と、を具備しており、導電層をオプション的に提供する過程と、該絶縁システムを提供する過程と、該導電小球を提供する過程と、そして該第２電極システムを提供する過程と、の少なくとも１つは従来のプリンティング工程で実現される。
【００９２】
該記憶装置内の全ての層、分離された導電範囲、絶縁パターンシステムそして‘導電性ブリッジ’は、インクジェットプリンティング、インタグリオプリンティング、スクリーンプリンティング、フレキソグラフィックプリンティング、オフセットプリンティング、スタンププリンティング、グラビヤプリンティングそして感熱及びレーザー誘起工程を含むがそれらに限定されない従来のプリンティング工程により付けられ得る。１つのプリンティング工程が該記憶装置内の全層用に使われるか又は２つ以上のプリンティング工程の組み合わせが使われるか何れかである。
【００９３】
本発明の該工程の第１の実施態様に依れば、該第１又は第２の受動記憶装置は金属シリコンを除く。
【００９４】
本発明の該工程の第２の実施態様に依れば、該従来のプリンティング工程はノンインパクトプリンティング工程、例えば、インクジェットプリンティング、静電記録プリンティング（ｅｌｅｃｔｒｏｐｈｏｔｏｇｒａｐｈｉｃ  ｐｒｉｎｔｉｎｇ）そして電子製版プリンティング（ｅｌｅｃｔｒｏｇｒａｐｈｉｃ  ｐｒｉｎｔｉｎｇ）である。
【００９５】
本発明の該工程の第３の実施態様に依れば、従来のプリンティング工程はインパクトプリンティング工程、例えば、オフセットプリンティング、スクリーンプリンティング、フレキソグラフィックプリンティング、そしてスタンププリンティングである。
【００９６】
本発明の該工程の第４の実施態様に依れば、従来のプリンティング工程は、インクジェットプリンティング、インタグリオプリンティング、スクリーンプリンティング、フレキソグラフィックプリンティング、オフセットプリンティング、スタンププリンティング、グラビヤプリンティング、静電記録プリンティング、電子製版プリンティングそして感熱及びレーザー誘起工程から成る群から選択される。
【００９７】
本発明の該工程に依るプリンティングは、パッケージ（ｐａｃｋａｇｅ）上、ラベル、チケット（ｔｉｃｋｅｔ）、ＩＤカード（ＩＤ−ｃａｒｄ）、銀行カード（ｂａｎｋ  ｃａｒｄ）、法的文書（ｌｅｇａｌ  ｄｏｃｕｍｅｎｔ）そして紙幣（ｂａｎｋｎｏｔｅｓ）上で直接行われ得る。該記憶装置は識別システム（ｉｄｅｎｔｉｆｉｃａｔｏｉｎ  ｓｙｓｔｅｍ）、安全の特徴（ｓｅｃｕｒｉｔｙ  ｆｅａｔｕｒｅ）、偽造防止の特徴（ａｎｔｉ−ｃｏｕｎｔｅｒｆｅｉｔｉｎｇ  ｆｅａｔｕｒｅ）他として作動してもよい。
【００９８】
本発明の第１受動記憶装置を提供するための該工程の第５の実施態様に依れば、該絶縁パターン、該第２電極パターンそして該少なくとも１つの導電性ブリッジは同じプリンティング工程により行われる。
【００９９】
本発明の第１受動記憶装置を提供する該工程の第６の実施態様に依れば、該絶縁パターン、該第２電極パターンそして該少なくとも１つの導電性ブリッジはインクジェットプリンティングにより行われる。
【０１００】
本発明の第２受動記憶装置を提供する該工程の第６の実施態様に依れば、該第２受動記憶装置は少なくとも１つの導電面又は表面層を備えるサポートと、該サポートの少なくとも１つの側の受動記憶要素と、を具備しており、該受動記憶要素は該サポートの導電面又は該表面層と、複数の分離された導電範囲とそして金属サポートの該導電面と該複数の分離された導電範囲との間のパターン化した絶縁システムと、を備えており、該複数の分離された導電範囲の少なくとも１つの予め指定され分離された導電範囲と該サポートの該導電面又は表面層との間に導電性ブリッジがあり、そして複数の導電ピンの各々が該複数の分離された導電範囲の１つに接触しており、該受動記憶要素は、従来のプリンティング工程を使って製作可能でありそして金属シリコンを除いており、そして該少なくとも１つの導電性ブリッジを欠く場合は該第１及び該第２のパターン化した電極システムの間には直接の電気的接触は無く、該第２受動記憶装置を提供する工程は、該導電表面層（ｃｏｎｄｕｃｔｉｖｅ  ｓｕｒｆａｃｅ  ｌａｙｅｒ）上に該絶縁パターンシステムを実現する過程と、該絶縁パターンシステム上に複数の分離された導電範囲を提供する過程と、そして該分離された導電範囲の少なくとも１つと該導電表面層の間で予め指定された点に導電性ブリッジを提供する過程と、そして該分離された導電範囲の各々を該導電ピンの１つと電気的に接触させる過程と、を具備しており、絶縁パターンシステムを提供する過程と、複数の分離された導電範囲を提供する過程とそして導電性ブリッジを提供する過程と、の少なくとも１つは従来のプリンティング工程で実現される。
【０１０１】
導電性スクリーンプリント用インク（Ｃｏｎｄｕｃｔｉｖｅ  ｓｃｒｅｅｎ  ｐｒｉｎｔｉｎｇ  ｉｎｋ）
特許文献１０は、中で２つのアルコキシ基が同じでもあっても又は異なってもよく或いはオプション的に置換されたオキシ−アルキレン−オキシブリッジを一緒に表してもよい３，４−ジアルコシキチオフェンのポリマー又はコーポリマーと、ポリアニオンとそして非ニュートンのバインダーと、を含む水性配合物と、上記説明の水性配合物を、オプション的に代替え（ｓｕｂｂｅｄ）されたサポート、誘電体層（ｄｉｅｌｅｃｔｒｉｃ  ｌａｙｅｒ）、リン光体層（ｐｈｏｓｐｈｏｒ  ｌａｙｅｒ）又はオプション的に透明な導電性コーティングに塗布する過程と、そして該それにより塗布された水性配合物を乾燥する過程と、を具備する導電層を用意する方法と、導電層を用意するために上記説明の方法により用意された帯電防止及び導電性のコーティングと、上記説明の水性配合物を含むプリンティングインク又はペーストと、そして上記説明のプリンティングインクを提供する過程と、オプション的に代替えされたサポート、誘電体層、リン光体層又はオプション的に透明な導電性コーティング上に該プリンティングインクをプリントする過程と、を具備するプリンティング工程と、を開示している。特許文献１０に開示された該スクリーンプリンティングインク配合（ｆｏｒｍｕｌａｔｉｏｎｓ）は特に引用によりここに組み入れられる。
【０１０２】
特許文献１４は、中でその２つのアルコキシ基が同じであっても、異なっても、或いはオプション的に置換されたオキシ−アルキレン−オキシブリッジを一緒に表してもよい３，４−ジアルコキシチオフェンのポリマー又はコーポリマーを重量で０．０８から３．０％の間でと、ポリアニオンとそして少なくとも１つの非水性溶媒と、を含む配合物を、実質的に酸素無しで用意された水の中の（３，４−ジアルコキシチオフェン）のポリマー又はコーポリマーと該ポリアニオンと、の分散系から用意する方法であり、該方法が、ｉ）該非水性溶媒の少なくとも１つを（３，４−ジアルコキシチオフェン）の該ポリマー又はコーポリマーと該ポリアニオンと、の水性分散系と混合する過程と、そしてｉｉ）過程ｉ）で用意された該混合物から水を、その中の水の含有量（ｃｏｎｔｅｎｔ  ｏｆ  ｗａｔｅｒ）が重量で少なくとも６５％だけ減じられるまで、蒸発させる過程と、を上記順序で具備する該方法と、上記説明の方法により用意され、与えられた透明度に於ける向上した導電率を有する層を生じ得るプリンティングインク、プリンティングペースト又はコーティング配合物と、与えられた透明度に於ける向上した導電率を有する層をそれにより作るコーティング配合物を用いたコーティング工程と、そして与えられた透明度に於ける向上した導電率を有する層をそれにより作る該プリンティングインク又はペーストを用いたプリンティング工程とを開示する。特に特許文献１４で開示された該スクリーンプリンティングインク配合は引用によりここに組み入れられる。
【０１０３】
特許文献１５は、中でその２つのアルコキシ基が同じであっても、異なっても、或いはアルキル、アルコキシ、アルキオキシアルキル、カルボキシ、スルホン酸アルキル（ａｌｋｙｌｓｕｌｐｈｏｎａｔｅ）、スルホン酸アルキルオキシアルキル（ａｌｋｙｌｏｘｙａｌｋｙｌｓｕｌｐｈｏｎａｔｅ）、そしてカルボキシエステル基（ｃａｒｂｏｘｙ  ｅｓｔｅｒ  ｇｒｏｕｐ）から成る群から選択された置換基とオプション的に置換されたオキシ−アルキレン−オキシブリッジを一緒に表してもよい３，４−ジアルコキシチオフェンのポリマー又はコーポリマーを重量で０．０８と３．０％の間でと、ポリアニオンとそして少なくとも１つのポリハイドロキシ非水性溶媒（ｐｏｌｙｈｙｄｒｏｘｙ  ｎｏｎ−ａｑｕｅｏｕｓ  ｓｏｌｖｅｎｔｓ）と、を含む配合物を、水中の（３，４−ジアルコキシチオフェン）のポリマー又はコーポリマーと該ポリアニオンとの分散系から用意する方法であるが、該方法は、ｉ）該非水性溶媒（ｎｏｎ−ａｑｕｅｏｕｓ  ｓｏｌｖｅｎｔｓ）の少なくとも１つを（３，４−ジアルコキシチオフェン）の該ポリマー又はコーポリマーと該ポリアニオンの水性分散系と混合する過程と、そしてｉｉ）過程ｉ）で用意された該混合物から水を、その中の水の含有量（ｃｏｎｔｅｎｔ  ｏｆ  ｗａｔｅｒ）が重量で少なくとも６５％だけ減じられるまで、蒸発させる過程と、を上記順序で具備する該方法と、上記説明の方法により用意され、与えられた面抵抗で向上した透明度を有する層を生じることが出来るプリンティングインク、プリンティングペースト又はコーティング配合物と、与えられた面抵抗に於ける向上した透明度を有する層をそれにより作る、該コーティング配合物を用いたコーティング工程と、そして与えられた面抵抗に於ける向上した透明度を有する層をそれにより作る、該プリンティングインク又はペーストを用いたプリンティング工程と、を開示する。特に特許文献１５で開示された該スクリーンプリンティングインク配合は引用によりここに組み入れられる。
【０１０４】
導電性フレキソグラフィックプリント用インク（Ｃｏｎｄｕｃｔｉｖｅ  ｆｌｅｘｏｇｒａｐｈｉｃ  ｐｒｉｎｔｉｎｇ  ｉｎｋｓ）
特許文献１１は、中でその２つのアルコキシ基が同じであってもよく、異なってもよく、或いは、オプション的に置換されたオキシ−アルキレン−オキシブリッジを一緒に表してもよい３，４−ジアルコキシチオフェンのポリマー又はコーポリマーと、ポリアニオンとそしてラテックスバインダーと、を溶媒又は水性媒体内に含む、染料を含まないフレキソグラフィックインク（ｎｏｎ−ｄｙｅ  ｃｏｎｔａｉｎｉｎｇ  ｆｌｅｘｏｇｒａｐｈｉｃ  ｉｎｋ）であり、３，４−ジアルコキシチオフェンの該ポリマー又はコーポリマーが該インク内に重量で少なくとも０．１％の濃度で存在し、そして該インクは比色計には（ｃｏｌｏｒｉｍｅｔｒｉｃａｌｌｙ）加成性（ａｄｄｉｔｉｖｅ）を示す透明プリントを作ることが出来ることを特徴とする該インクと、該フレキソグラフィックインクを用意する方法と、そしてそれを用いたフレキソグラフィックプリンティング工程と、を開示する。特許文献１１で開示された該フレキソグラフィックプリンティングインクの配合は引用により特にここに組み入れられる。
【０１０５】
導電性インクジェットインク（Ｃｏｎｄｕｃｔｉｖｅ  ｉｎｋ−ｊｅｔ  ｉｎｋ）
その中でその２つのアルコキシ基が同じであっても、異なっても、或いはオプション的に置換されたオキシ−アルキレン−オキシブリッジを一緒に表してもよい３，４−ジアルコキシチオフェンのポリマー又はコーポリマーと、ポリアニオンと高沸点液体（ｈｉｇｈ
ｂｏｉｌｉｎｇ  ｐｏｉｎｔ  ｌｉｑｕｉｄ）と、を溶媒又は水性媒体内に含み、インクジェットプリンティング用に好適な配合物が用意出来る。噴射温度（ｊｅｔｔｉｎｇ  ｔｅｍｐｅｒａｔｕｒｅ）で、汎用プリントヘッド（Ｕｎｉｖｅｒｓａｌ  Ｐｒｉｎｔ  Ｈｅａｄ）｛アグファ−ゲバルト（ＡＧＦＡ−ＧＥＶＡＥＲＴ）から｝用に３から１５ｍＰａ．ｓの範囲内にあるのが好ましい粘度の様な重要特性は、導電性ポリマーの濃度と高沸点液体の量と種類を変えることにより調整出来る。ＰＥＤＯＴ：ＰＳＳの重量で１．２％の分散系は室温で約３０ｍＰａ．ｓの粘度（ｖｉｓｃｏｓｉｔｙ）を有し、重量で０．６％の分散系は室温で約１０ｍＰａ．ｓの粘度を有する。
【０１０６】
その表面張力（ｓｕｒｆａｃｅ  ｔｅｎｓｉｏｎ）は汎用プリントヘッド用の噴射条件（ｊｅｔｔｉｎｇ  ｃｏｎｄｉｔｉｏｎｓ）で２８から３６ｍＮ／ｍの範囲内が好ましく、適当なアニオン性（ａｎｉｏｎｉｃ）、カチオン性（ｃａｔｉｏｎｉｃ）又は非イオン性（ｎｏｎ−ｉｏｎｉｃ）界面活性剤（ｓｕｒｆａｃｔａｎｔｓ）又は溶媒、例えばアルコールを加えることにより調整出来る。又界面活性剤は噴射特性（ｊｅｔｔｉｎｇ  ｐｅｒｆｏｒｍａｎｃｅ）、基板上での該インクの濡れ特性（ｗｅｔｔｉｎｇ  ｐｒｏｐｅｒｔｉｅｓ）及びプリントされた層のユーブイ安定性（ＵＶ−ｓｔａｂｉｌｉｔｙ）に影響する。
【０１０７】
高沸点液体の例えば重量での５から２０％の追加は乾燥後のプリント層の導電性を改善し、有用な高沸点液体はエチレングリコール、ジエチレングリコール、プロピレングリコール、グリセロール（ｇｌｙｃｅｒｏｌ）、Ｎ−メチルピロリドン（Ｎ−ｍｅｔｈｙｌｐｙｒｒｏｌｉｄｏｎｅ）そして２−ピロリドン（２−ｐｙｒｒｏｌｉｄｏｎｅ）を含む。又高沸点液体の選定は乾燥時間、最低乾燥温度、噴射特性、濡れ特性、粘度そして表面張力に影響する。
【０１０８】
オプションとして、プリントヘッドの腐食を防止するためインクジェットプリンティング溶液を中性化するようジメチルエタノールアミン（ｄｉｍｅｔｈｙｌｅｔｈａｎｏｌａｍｉｎｅ）、トリエチルアミン（ｔｒｉｅｔｈｙｌａｍｉｎｅ）又はジイソプロピルエチルアミン（ｄｉｉｓｏｐｒｏｐｙｌｅｔｈｙｌａｍｉｎｅ）の様な揮発性塩基（ｖｏｌａｔｉｌｅ  ｂａｓｅｓ）が付加されてもよい。
【０１０９】
工業的用途（Ｉｎｄｕｓｔｒｉａｌ  ａｐｐｌｉｃａｔｉｏｎ）
本発明の受動記憶装置は安全及び偽造防止応用、例えば、チケット、ラベル、タグ、アイデーカード、銀行カード、法的文書、紙幣そしてパッケージング、で使用され、又パッケージングに一体化され得る。
【０１１０】
本発明が以下では比較例及び本発明実施例により図解される。これらの例で与えられるパーセンテージ及び比は、他の指示が無いならば重量による。
【０１１１】
実施例の要素で使われた商業的コーティング
・アゴリックスマジェンタインク（ＡＧＯＲＩＸ  ＭＡＧＥＮＴＡ  ＩＮＫ）、アグファードットリックスエヌブイ（ＡＧＦＡ−ＤＯＴＲＩＸ  Ｎ．Ｖ）からのユーブイ硬化
【０１１２】
可能なインクジェット用インク
・イーデー４０００（ＥＤ４０００）、エレクトラポリマー（ＥＬＥＣＴＲＡ  ＰＯＬＹＭＥＲＳ）からのカーボンブラックインク
・ノリペット（Ｒ）０９３クリア（ＮＯＲＩＰＥＴ（Ｒ）  ０９３  Ｃｌｅａｒ）、プレール（Ｐｒｏｅｌｌ）からの絶縁用スクリーンプリンティングインク
【０１１３】
実施例の要素で使われた非商業的コーティングで使われた原料
・タナコート（Ｒ）エフジー３（ＴＡＮＡＣＯＡＴ（Ｒ）  ＦＧ３）、シブロンケミカル（ＳＹＢＲＯＮ  ＣＨＥＭＩＣＡＬＳ）からの水性カルボキシル化ポリプロピレンエマルジョン（ａｑｕｅｏｕｓ  ｃａｒｂｏｘｙｌａｔｅｄ  ｐｏｌｙｐｒｏｐｙｌｅｎｅ  ｅｍｕｌｓｉｏｎ）
・パニポル（Ｒ）ダブリュー（ＰＡＮＩＰＯＬ（Ｒ）  Ｗ）、パニポル社（ＰＡＮＩＰＯＬ  ＬＴＤ）からのポリアニリンの６重量％の水性分散系
・ディノル（Ｒ）６０４（ＤＹＮＯＬ（Ｒ）  ６０４）、エアプロダクト（ＡＩＲ  ＰＲＯＤＵＣＴＳ）からのアセチレングリコールベースの界面活性剤（ａｃｅｔｙｌｅｎｉｃ  ｇｌｙｃｏｌ−ｂａｓｅｄ  ｓｕｒｆａｃｔａｎｔ）
【０１１４】
［実施例１］（ＩＮＶＥＮＴＩＯＮ  ＥＸＡＭＰＬＥ  １）
導電性パッドを有し全部インクジェットプリントされた要素（ＦＵＬＬＹ  ＩＮＫ−ＪＥＴ  ＰＲＩＮＴＥＤ  ＥＬＥＭＥＮＴ  ＷＩＴＨ  ＣＯＮＤＵＣＴＩＶＥ  ＰＡＤＳ）
実施例１の受動記憶要素は、汎用プリントヘッド（Ｕｎｉｖｅｒｓａｌ  Ｐｒｉｎｔｈｅａｄ）｛アグファ−ゲバルト（ＡＧＦＡ−ＧＥＶＡＥＲＴ）からの｝を使って、４つの異なる導電面上の相互の頂部上にアゴリックスマジェンタインクの２層をインクジェットプリントすることにより作られ、次いでユーブイ硬化（ＵＶ−ｃｕｒｅｄ）され、それにより５５＊２．５ｍｍ２の寸法を有し３ｍｍ離し隔てられた８ラインから成る絶縁ラインパターンを形成した。使われた４つの導電面は、
１）１３μｍ厚さのアルミニウム箔
２）サーモスターピー９７０（Ｔｈｅｒｍｏｓｔａｒ  Ｐ９７０）アルミニウムオフセットプリンティングプレート（裏側）
３）フレキソグラフィックＰＥＤＰＴ：ＰＳＳインクの連続層を有する代替えされた（ｓｕｂｂｅｄ）ＰＥＴ−基板
【０１１５】
【表１】
2008518453.tif 000003
【０１１６】
上記がフレキソプリンティングを介して塗布され、８０℃で３分間乾燥された、
４）未露光ハロゲン化銀ドナーシート（ｎｏｎ−ｅｘｐｏｓｅｄ  ｓｉｌｖｅｒ  ｈａｌｉｄｅ  ｄｏｎｏｒ  ｓｈｅｅｔ）｛アグファ−ゲバルトからのコピープルーフネガチブフィルムＮＰＣ（Ｃｏｐｙｐｒｏｏｆ  Ｎｅｇａｔｉｖｅ  Ｆｉｌｍ  ＮＰＣ）｝を用いて拡散転送反転工程（ｄｉｆｆｕｓｉｏｎ  ｔｒａｎｓｆｅｒ  ｒｅｖｅｒｓａｌ  ｐｒｏｃｅｓｓ）を介して塗布された、連続銀層付きの代替えされたＰＥＴ−基板（ｓｕｂｂｅｄ  ＰＥＴ−ｓｕｂｓｔｒａｔｅ  ｗｉｔｈ  ａ  ｃｏｎｔｉｎｕｏｕｓ  ｓｉｌｖｅｒ  ｌａｙｅｒ）
第２電極システムは、該絶縁パターンの頂部上に、表１で与えられる組成を有するＰＥＤＯＴ：ＰＳＳインクジェットインクで１＊４ｍｍの導電パッドをインクジェットプリントすることにより作られた。最後に‘導電性ブリッジ’が、該導電性ブリッジを形成するために予め選択された位置に該汎用プリントヘッドを使って該ＰＥＤＯＴ：ＰＳＳインクジェットインクで１＊３ｍｍのラインをインクジェットプリントすることにより塗布された。
【０１１７】
【表２】
2008518453.tif 000004
【０１１８】
その連続的第１電極と第２電極パッドの間の抵抗はフルークマルチメーター（Ｆｌｕｋｅ  Ｍｕｌｔｉｍｅｔｅｒ）で測定され、表２で与えられる。
【０１１９】
【表３】
2008518453.tif 000005
【０１２０】
［実施例２］
導電性パッド無しのインクジェットプリントされた要素（ＩＮＫＪＥＴ  ＰＲＩＮＴＥＤ
ＥＬＥＭＥＮＴ  ＷＩＴＨＯＵＴ  ＣＯＮＤＵＣＴＩＶＥ  ＰＡＤＳ）
実施例２の受動記憶要素は、第２電極パッドがプリントされないことを除けば実施例１で説明した様に作られた。該ＰＥＤＯＴ：ＰＳＳインクジェットインクで該導電性ブリッジをインクジェットプリントするのに加えて、導電性ブリッジは又パニポルダブリュー（ＰＡＮＩＰＯＬ  Ｗ）及びイーデー４０００（ＥＤ４０００）を用いて手動でも塗布された。抵抗が、該連続的第１電極と導電性ブリッジの間、又は該連続的第１電極と導電性ブリッジ無しの該絶縁パターン上の範囲との間、の何れかで測定され、その結果が表３で与えられる。
【０１２１】
【表４】
2008518453.tif 000006
【０１２２】
［実施例３］
スクリーン及びインクジェットプリンティングの組み合わせによる全部透明な装置（ＦＵＬＬＹ  ＴＲＡＮＳＰＡＲＥＮＴ  ＤＥＶＩＣＥ  ＶＩＡ  ＣＯＭＢＩＮＡＴＩＯＮ  ＯＦ  ＳＣＲＥＥＮ  ＡＮＤ  ＩＮＫＪＥＴ  ＰＲＩＮＴＩＮＧ）
実施例３の受動記憶要素は、オルガコンイーエル−１５００（ＯＲＧＡＣＯＮ  ＥＬ−１５００）基板上にメッシュピー７９（ｍｅｓｈ  Ｐ７９）のスクリーンでノリペット０９３クリヤ（Ｎｏｒｉｐｅｔ  ０９３  Ｃｌｅａｒ）を使い１．５ｍｍ離れ隔てられた２＊５０ｍｍ２の寸法を有するラインをスクリーンプリントし、１３０℃で３分間乾燥することにより作られた。
【０１２３】
第２電極パッド付き又は無しの導電性ブリッジは実施例１及び２で説明した様に、ＰＥＤＯＴ：ＰＳＳをインクジェットプリントすることにより用意された。電気的測定が実施例１及び２で説明した様に行われ、結果は表４で与えられる。
【０１２４】
【表５】
2008518453.tif 000007
【０１２５】
本発明は、それがここに請求された発明に関係するかどうかに拘わらず、ここで暗黙に、又は表立って、何れかで開示された何等かの特徴又は特徴の組み合わせ、又はその何等かの一般化を含む。前記説明を考慮すると、本発明の範囲内で種々の変型が行われ得ることは当業者には明らかであろう。
【図面の簡単な説明】
【０１２６】
【図１】本発明の実施態様の連続する第１電極を有する２つの記憶装置の平面図を示す。
【図２】第２電極パターンがプリントされない簡単な装置を図解する。
【図１】
2008518453.tif 000008
【図２】
2008518453.tif 000009
【国際調査報告】
2008518453.tif 000010
2008518453.tif 000011
2008518453.tif 000012